(57)【要約】【課題】  回転除湿ロータが搭載された浴室乾燥機では、回転除湿ロータに空気中の水分や水分中に溶けた異臭成分などが付着すると、悪臭が発生してしまうという問題があった。【解決手段】  クリーニングモードの実行中に、吸引口から吸引された空気が第２ヒータ４０００および再生ヒータ４０により加熱され、該加熱された空気が回転除湿ロータ１０を通過して排出されるので、回転除湿ロータ１０に向かう空気が高温になり、その高温になった空気により回転除湿ロータ１０に吸着された異臭物質などを活性化させ放出させ、異臭の発生を防止することができる。【選択図】        図８
2008229425.tif 000002
【特許請求の範囲】
【請求項１】
室内の構成部材に固定され、室内の空気を室外に排気、及び室内の空気を除湿する室内用除湿装置において、
前記室内の空気を取入れる吸引口と、
前記吸引口から吸引された空気が通過する際に空気中の水分を吸着する複数の除湿通路からなる回転除湿ロータと、
前記吸引口から吸引され、前記回転除湿ロータの一部領域の除湿通路を通過する空気を室外へ排出する再生風路と、
前記再生風路に設けられ、前記回転除湿ロータの上流に設けられた再生ヒータと、
前記再生風路に設けられた再生ファンと、
前記吸引口から吸引され、前記回転除湿ロータの一部領域と異なる他部領域の除湿通路を通過する空気を前記室内に吹き出す前記再生風路と別個独立に設けられた循環風路と、
前記循環風路の出口を構成する循環吹出口と、
前記循環風路内に空気を吸引する吸引ファンと、
前記回転除湿ロータを加熱するための第２ヒータと、
前記室内用除湿装置を制御する制御手段と、を備え、
前記制御手段は、
前記室内用除湿装置の運転モードとして、
前記室内に除湿された空気を供給するように、前記回転除湿ロータを回転させながら、前記吸引ファン、前記再生ファン及び前記再生ヒータを動作させる除湿モードと、
前記回転除湿ロータを回転させながら、前記再生ファン、前記再生ヒータ及び前記第２ヒータを動作させるクリーニングモードを備えていることを特徴とする室内用除湿装置。
【請求項２】
前記第２ヒータは、前記再生風路内の前記回転除湿ロータの上流でかつ近傍に設けられたことを特徴とする請求項１記載の室内用除湿装置。
【請求項３】
前記第２ヒータは、前記循環風路内の前記回転除湿ロータの上流でかつ近傍に設けられたことを特徴とする請求項１記載の室内用除湿装置。
【請求項４】
前記第２ヒータは、前記循環風路内に設けられた暖房ヒータであり、
前記クリーニングモードの実行中に、前記第２ヒータにより加熱された空気が、前記循環風路もしくは前記再生風路の少なくとも一方に導かれるように構成されていることを特徴とする請求項１記載の室内用除湿装置。
【請求項５】
前記循環吹出口から吹き出される空気を、前記循環風路もしくは前記再生風路の少なくとも一方内に導く連結風路を備え、
前記クリーニングモードの実行中に、前記第２ヒータにより加熱された空気が、前記連結風路を介して、前記循環風路もしくは前記再生風路の少なくとも一方内に導かれることを特徴とする請求項４記載の室内用除湿装置。
【請求項６】
前記クリーニングモードの実行中に、前記第２ヒータにより加熱された空気の一部が、ダクト形状に形成された循環再生連結風路に導かれ、該循環再生連結風路には、循環風路口と再生風路口が設けられ、前記循環風路口から前記循環風路内に、前記再生風路口から前記再生風路内に前記第２ヒータにより加熱された空気が導かれるように構成されていることを特徴とする請求項４記載の室内用除湿装置。
【請求項７】
前記クリーニングモード実行中の前記吸引ファンの回転数は、前記除湿モード実行中の前記吸引ファンの回転数より低いことを特徴とする請求項４記載の室内用除湿装置。
【請求項８】
前記室内に吹き出される空気の向きを調整する可動ルーバが設けられ、
前記クリーニングモードの実行中は、前記第２ヒータにより加熱された空気を、前記循環風路もしくは前記再生風路の少なくとも一方に導かれるように前記可動ルーバの向きを切り換えることを特徴とする請求項４記載の室内用除湿装置。
【請求項９】
前記循環吹出口から吹き出される空気のうち、前記循環再生連結風路内に導かれる空気の量を調整するための循環再生風路ダンパをさらに備え、
前記クリーニングモードの実行中は、前記循環吹出口から吹き出される空気が、前記循環再生連結風路内に導かれる方向に前記循環再生風路ダンパを切り換えることを特徴とする請求項６記載の室内用除湿装置。
【請求項１０】
前記室内に吹き出される空気の向きを調整する可動ルーバが設けられ、
前記クリーニングモードの実行中に、前記第２ヒータにより加熱された空気を、前記連結風路に導かれるように前記可動ルーバの向きを切り換えることを特徴とする請求項５記載の室内用除湿装置。
【発明の詳細な説明】
【技術分野】
【０００１】
本発明は、回転除湿ロータを備えた室内用除湿装置に関し、詳しくは、室内の構成部材に固定され、室内の空気を室外に排気、及び室内の空気を除湿する室内用除湿装置に関する。
【背景技術】
【０００２】
従来の室内用除湿装置としては、例えば浴室乾燥機に除湿機能を組み込んだものが知られている。これは、浴室を暖房する暖房モードの他に、浴室内の空気を循環ファンで吸引させながら、浴室内を除湿する除湿モードを備えている。そして、循環ファンで吸引された浴室内の空気は、回転除湿ロータの除湿通路に担持されている吸着剤で水分が吸着され、浴室内に乾燥した空気として戻される。
【０００３】
また、回転除湿ロータは回転駆動され、たくさんの水分を吸着した除湿通路部分が再生ヒータ（セラミックヒータ）と対応する部分にきたときに、再生ファンによって吸引されヒータにより高温に加熱された空気と回転除湿ロータが熱交換され、回転除湿ロータが高温となり、回転除湿ロータの除湿通路の吸着剤に吸着されている大量の水分が蒸発される。これにより回転除湿ロータが乾燥され回転除湿ロータが再生される。この動作を連続的に行う運転モードが除湿モードであり、この除湿モードの運転を数時間続けることにより浴室内が徐々に除湿されて浴室を完全に乾燥させることができる（特許文献１）。また、特許文献２には、回転除湿ロータの除湿通路に担持されている吸着剤は、ゼオライトやシリカゲルなどから構成されていることが記載されている。
【０００４】
【特許文献１】特開２００４−９３００８号公報
【特許文献２】特開平５−３０９７７１号公報
【発明の開示】
【発明が解決しようとする課題】
【０００５】
しかしながら、回転除湿ロータに使用されている吸着剤は、一般的に空気中の水分のみならず異臭物質をも吸着する。このように、吸着剤に異臭物質が吸着されている状態で回転除湿ロータの除湿通路に多湿の空気が通過すると、異臭物質より水分の方に吸着剤に吸着される力（親和性）が強い（高い）ため、吸着された異臭物質が多湿の空気中の水分と置換され、異臭物質が室内に放出されてしまうという問題があった。ここで、この異臭物質は、空気中に存在するものであり、水分と異臭物質とが少しづつ置換される程度であれば何ら問題が生じないが、回転除湿ロータに多くの異臭物質が吸着され、そこに大量の多湿の空気が一気に通過されるような場合には、異臭物質が水分と一気に大量に置換され、使用者が不快に感じさせるほどの異臭が放出される。特に、回転除湿ロータを備えた除湿装置が、梅雨時などの高湿度となる条件下や、また浴室等の多湿の環境下で使用されると、回転除湿ロータに異臭物質が多く吸着されていれば、その異臭物質が水分と一気に置換されて、使用者を不快に感じさせるほどの異臭が放出されるという問題があった。
【０００６】
この問題は室内のすべてにおいて生じる可能性があるが、特に、浴室は異臭の要因となるジエチルヘキサナールやデカナール等の有機物質が居間などの他室に比べて比較的多く存在しているため、回転除湿ロータの除湿通路に比較的早期に多くの異臭物質が吸着されてしまう可能性がある。また、浴室は大量の水分が存在する環境であり、かつ相対湿度が高まる高温の環境下でもあるので俯瞰な濃度の異臭発生が生じる環境としては極めて条件が悪い環境にあるといえる、また、その反面、カビなどが発生しやすい浴室では除湿に対する要求は極めて高いものがあり、この異臭の軽減は非常に多くのユーザから強く望まれている。
【０００７】
ここで、本問題を解決するために、回転除湿ロータに異臭物質が吸着されるのを抑制するために回転除湿ロータの吸着剤の材料を変更したり、吸着剤の異臭物質が接触する機会を減らすようなやり方も考えられるが、このようなやり方だけでは、短時間で異臭物質が多く吸着されてしまうのを抑制できるというだけであり、また、異臭物質の付着を抑制するようにすると必然的に吸着剤に水分も吸着されにくくなり、除湿性能が大きく犠牲になるという問題が新たに生じる。
【０００８】
そこで、本発明は、除湿性能を大きく犠牲にすることなく、強い臭気が発生することのない室内用除湿装置を提供するものである。
【課題を解決するための手段】
【０００９】
本発明のうち第１の態様に係るものは、室内の空気を取入れる吸引口と、吸引口から吸引された空気が通過する際に空気中の水分を吸着する複数の除湿通路からなる回転除湿ロータと、吸引口から吸引され、回転除湿ロータの一部領域の除湿通路を通過する空気を室外へ排出する再生風路と、再生風路に設けられ、回転除湿ロータの上流に設けられた再生ヒータと、再生風路に設けられた再生ファンと、吸引口から吸引され、回転除湿ロータの除湿通路を通過する空気を室内に吹き出す再生風路と別個独立に設けられた循環風路と、循環風路の出口を構成する循環吹出口と、循環風路内に空気を吸引する吸引ファン（たとえば、吸引ファン２０など）と、吸引口から吸引される空気を加熱する第２ヒータと、室内用除湿装置を制御する制御手段と、を備え、制御手段は、室内用除湿装置の運転モードとして、室内に除湿された空気を供給するように、回転除湿ロータを回転させながら、吸引ファン、再生ファン及び再生ヒータを動作させる除湿モードと、回転除湿ロータを回転させながら、再生ファン、再生ヒータ及び第２ヒータを動作させるクリーニングモードを備えていることを特徴とする。
【００１０】
この構成によれば、クリーニングモードでは回転除湿ロータを回転させながら、再生ファン、再生ヒータ及び第２ヒータを動作させているので、回転除湿ロータが再生ヒータで加熱されるとともに第２ヒータでも加熱されるため、回転除湿ロータの加熱面積を増やすことができたり、加熱温度を高めたりすることが可能になるため、回転除湿ロータに吸着された異臭物質を熱によって活性化させて放出（離脱）させるクリーニングを、短時間で完了させることができる。これにより、回転除湿ロータへの異臭物質の付着をクリーニングで確実に抑制できるため、多湿環境下にあっても室内に異臭物質が一気に大量に噴出されてしまうという問題を解消でき、快適に室内用除湿装置を使用することができる。また、クリーニング時間を短縮できるためクリーニングのための待ち時間を短縮できるだけでなく、第２ヒータをクリーニング時に使用する構成であるため、通常の除湿時には使用されないことから、除湿時においては過大なエネルギ消費を必要としないという実用上優れた効果を奏することができる。
【００１１】
本発明のうち第２の態様に係るものは、第１の態様に係る室内用除湿装置であって、第２ヒータは、再生風路内の回転除湿ロータの上流でかつ近傍に設けられたことを特徴とする。
【００１２】
この構成によれば、第２ヒータが、再生風路内の回転除湿ロータの上流でかつ近傍に設けられているので、回転除湿ロータに向かう空気が再生ヒータで加熱されるとともに、回転除湿ロータの上流でかつ近傍に設けられた第２ヒータによっても加熱されることにより、再生風路内の回転除湿ロータに向かう空気がより高温となり、その高温になった空気により回転除湿ロータに吸着された異臭物質を高温化することで一層活性化させることができるため速やかに異臭物質を放出（離脱）させ、短時間で回転除湿ロータのクリーニングを完了させることができる。
【００１３】
本発明のうち第３の態様に係るものは、第１の態様に係る室内用除湿装置であって、第２ヒータは、循環風路内の回転除湿ロータの上流でかつ近傍に設けられたことを特徴とする。
【００１４】
この構成によれば、第２ヒータが、循環風路内の回転除湿ロータの上流でかつ近傍に設けられているので、循環風路に向かう空気が循環風路内の回転除湿ロータの上流でかつ近傍に設けられた第２ヒータにより加熱され、また再生風路に向かう空気が再生ヒータにより加熱され、その加熱された空気により、再生風路および循環風路に亘る広い範囲で、回転除湿ロータに吸着された異臭物質を活性化して放出（離脱）させることができる。このように、再生風路および循環風路に亘る広い範囲で、回転除湿ロータに吸着された異臭物質を放出させることができるので、より短い時間でクリーニングを完了させることができる。また、再生ヒータだけで回転除湿ロータを加熱させるものでは、再生ヒータで回転除湿ロータを一旦加熱しても循環風路内で回転除湿ロータは温度降下させられるが、本発明にあっては第２ヒータによって循環風路内においても回転除湿ロータは継続して加熱されるため温度降下を抑制でき、よって、回転除湿ロータを一層高温にできることから、異臭物質を一層活性化して速やかに放出させることができるものである。
【００１５】
本発明のうち第４態様に係るものは、第１の態様に係る室内用除湿装置であって、第２ヒータは、循環風路内に設けられた暖房ヒータであり、クリーニングモードの実行中に、第２ヒータにより加熱された空気が、循環風路もしくは再生風路の少なくとも一方に導かれるように構成されていることを特徴とする。
【００１６】
この構成によれば、第２ヒータは、循環風路に設けられた暖房ヒータであり、クリーニングモードの実行中に、第２ヒータにより加熱された空気が、循環風路もしくは再生風路の少なくとも一方に導かれるので、暖房ヒータにより加熱され高温になった空気が循環風路内に導かれ回転除湿ロータに吹き付けられる。これによれば、再生風路および循環風路に亘る広い範囲で、回転除湿ロータに吸着された異臭物質を放出させることができるので、より短い時間でクリーニングを完了させることができる。また、再生ヒータだけで回転除湿ロータを加熱させるものでは、再生ヒータで回転除湿ロータを一旦加熱しても循環風路内で回転除湿ロータは温度降下させられるが、本発明にあっては暖房ヒータによって加熱された空気によって循環風路内においても回転除湿ロータは継続して加熱されるため温度降下を抑制でき、よって、回転除湿ロータを一層高温にできることから、異臭物質を一層活性化して速やかに放出させることができるものである。一方で、第２ヒータによって加熱された空気を再生風路内に導く場合にあっては、暖房ヒータにより加熱された空気を、さらに再生ヒータでも加熱することができるため、空気を一層高温にすることができ、この高温の空気によって回転除湿ロータに吸着された異臭物質を一層活性化して速やかに放出（離脱）させることができる。よって、短時間で回転除湿ロータのクリーニングを完了させることができる。
【００１７】
本発明のうち第５態様に係るものは、第４の態様に係る室内用除湿装置であって、循環吹出口から吹き出される空気を、循環風路もしくは再生風路の少なくとも一方内に導く連結風路を備え、クリーニングモードの実行中に、第２ヒータにより加熱された空気が、連結風路を介して、循環風路もしくは再生風路の少なくとも一方内に導かれることを特徴とする。
【００１８】
この構成によれば、循環吹出口から吹き出される空気を、循環風路もしくは再生風路の少なくとも一方内に導く連結風路が備えられているので、暖房ヒータにより加熱され循環吹出口から吹き出された空気を循環風路もしくは再生風路に確実に導くことができ、また、温度降下も抑制できることからクリーニング性能を高めることができる。
【００１９】
本発明のうち第６態様に係るものは、第４の態様に係る室内用除湿装置であって、クリーニングモードの実行中に、第２ヒータにより加熱された空気の一部が、ダクト形状に形成された循環再生連結風路に導かれ、該循環再生連結風路には、循環風路口と再生風路口が設けられ、循環風路口から循環風路内に、再生風路口から再生風路内に第２ヒータにより加熱された空気が導かれるように構成されていることを特徴とする。
【００２０】
この構成によれば、クリーニングモードの実行中に、暖房ヒータにより加熱された空気の一部が、ダクト形状に形成された循環再生連結風路に導かれ、該循環再生連結風路には、循環風路口と再生風路口が設けられ、循環風路口から循環風路内に、再生風路口から再生風路内に暖房ヒータにより加熱された空気が導かれるので、暖房ヒータにより加熱され高温になった空気の一部が循環風路内の回転除湿ロータに高温を維持した状態で確実に吹き付けられ、また暖房ヒータにより加熱されさらに再生ヒータで加熱された空気が再生風路内の回転除湿ロータに一層高温化された状態で確実に吹き付けられることから、循環風路および再生風路に亘る広い範囲で、回転除湿ロータに吸着された異臭物質を活性化して速やかに放出（離脱）させることができる。よって、より短時間で確実に回転除湿ロータのクリーニングを完了させることができる。
【００２１】
本発明のうち第７態様に係るものは、第４の態様に係る室内用除湿装置であって、クリーニングモード実行中の吸引ファンの回転数は、除湿モード実行中の吸引ファンの回転数より低いことを特徴とする。
【００２２】
この構成によれば、クリーニングモード実行中の吸引ファンの回転数を、除湿モード実行中の吸引ファンの回転数より低くしているので、循環吹出口から吹出される空気がより循環風路もしくは再生風路に導きやすくなる。つまり、クリーニングモード実行中の吸引ファンの回転数を、除湿モード実行中の吸引ファンの回転数と同等の回転数で行えば、循環吹出口から吹出される空気の勢いが強くなり、循環吹出口から吹出される空気が循環風路から遠ざかり、それらの空気を吸引ファンにより循環風路内に引き込むことが難しくなるが、本発明のように、クリーニングモード実行中の吸引ファンの回転数を、除湿モード実行中の吸引ファンの回転数より低くすることにより、循環吹出口から吹出される空気が循環吹出口付近に滞留し、その空気を吸引ファンにより循環風路もしくは再生風路に導きやすくすることができる。
【００２３】
本発明のうち第８態様に係るものは、第４の態様に係る室内用除湿装置であって、室内に吹き出される空気の向きを調整する可動ルーバが設けられ、クリーニングモードの実行中は、第２ヒータにより加熱された空気を、循環風路もしくは再生風路の少なくとも一方に導かれるように可動ルーバの向きを切り換えることを特徴とする。
【００２４】
この構成によれば、クリーニングモードの実行中は、第２ヒータにより加熱された空気を、循環風路もしくは再生風路の少なくとも一方に導かれるように可動ルーバの向きが切り換えられるので、暖房ヒータにより加熱され循環吹出口から吹き出された空気が循環風路もしくは再生風路に導きやすくすることができ、暖房ヒータにより加熱され高温になった空気が循環風路内もしくは再生風路内に導かれ回転除湿ロータに吹き付けられる。これにより、再生風路および循環風路に亘る広い範囲で、回転除湿ロータに吸着された異臭物質を放出させることができるので、より短い時間でクリーニングを完了させることができる。また、再生ヒータだけで回転除湿ロータを加熱させるものでは、再生ヒータで回転除湿ロータを一旦加熱しても循環風路内で回転除湿ロータは温度降下させられるが、本発明にあっては暖房ヒータによって加熱された空気によって循環風路内においても回転除湿ロータは継続して加熱されるため温度降下を抑制でき、よって、回転除湿ロータを一層高温にできることから、異臭物質を一層活性化して速やかに放出させることができるものである。一方で、第２ヒータによって加熱された空気を再生風路内に導く場合にあっては、暖房ヒータにより加熱された空気を、さらに再生ヒータでも加熱することができるため、空気を一層高温にすることができ、この高温の空気によって回転除湿ロータに吸着された異臭物質を一層活性化して速やかに放出（離脱）させることができる。よって、短時間で回転除湿ロータのクリーニングを完了させることができる。
【００２５】
本発明のうち第９態様に係るものは、第６の態様に係る室内用除湿装置であって、循環吹出口から吹き出される空気のうち、循環再生連結風路内に導かれる空気の量を調整するための循環再生風路ダンパをさらに備え、クリーニングモードの実行中は、循環吹出口から吹き出される空気が、循環再生連結風路内に導かれる方向に循環再生風路ダンパを切り換えることを特徴とする。
【００２６】
この構成によれば、クリーニングモードの実行中は、循環吹出口から吹き出される空気が、循環再生連結風路内に導かれる方向に循環再生風路ダンパを切り換えるので、暖房ヒータにより加熱され循環吹出口から吹き出された空気を循環風路もしくは再生風路に導きやすくすることができ、暖房ヒータにより加熱され高温になった空気の一部が循環風路内の回転除湿ロータに高温を維持した状態で確実に吹き付けられ、また暖房ヒータにより加熱されさらに再生ヒータで加熱された空気が再生風路内の回転除湿ロータに一層高温化された状態で確実に吹き付けられることから、循環風路および再生風路に亘る広い範囲で、回転除湿ロータに吸着された異臭物質を活性化して速やかに放出（離脱）させることができる。よって、より短時間で確実に回転除湿ロータのクリーニングを完了させることができる。
【００２７】
本発明のうち第１０態様に係るものは、第５の態様に係る室内用除湿装置であって、室内に吹き出される空気の向きを調整する可動ルーバが設けられ、クリーニングモードの実行中に、第２ヒータにより加熱された空気を、連結風路に導かれるように可動ルーバの向きを切り換えることを特徴とする
【００２８】
この構成によれば、クリーニングモードの実行中に、第２ヒータにより加熱された空気が、連結風路に導かれるように可動ルーバの向きを切り換えられるので、暖房ヒータにより加熱され循環吹出口から吹き出された空気が循環風路もしくは再生風路に導きやすくすることができ、暖房ヒータにより加熱され高温になった空気が循環風路内もしくは再生風路内に導かれ回転除湿ロータに吹き付けられる。これにより、再生風路および循環風路に亘る広い範囲で、回転除湿ロータに吸着された異臭物質を放出させることができるので、より短い時間でクリーニングを完了させることができる。また、再生ヒータだけで回転除湿ロータを加熱させるものでは、再生ヒータで回転除湿ロータを一旦加熱しても循環風路内で回転除湿ロータは温度降下させられるが、本発明にあっては暖房ヒータによって加熱された空気によって循環風路内においても回転除湿ロータは継続して加熱されるため温度降下を抑制でき、よって、回転除湿ロータを一層高温にできることから、異臭物質を一層活性化して速やかに放出させることができるものである。一方で、第２ヒータによって加熱された空気を再生風路内に導く場合にあっては、暖房ヒータにより加熱された空気を、さらに再生ヒータでも加熱することができるため、空気を一層高温にすることができ、この高温の空気によって回転除湿ロータに吸着された異臭物質を一層活性化して速やかに放出（離脱）させることができる。よって、短時間で回転除湿ロータのクリーニングを完了させることができる。
【発明を実施するための最良の形態】
【００２９】
以下、図面を参照して、本発明の一実施形態に係る室内用除湿装置である除湿機能付き浴室乾燥機（以下、「浴室乾燥機」と略記する）について説明する。図１は、本発明の一実施形態に係る浴室乾燥機の使用形態の一例を示す。
【００３０】
本実施形態に係る浴室乾燥機１は、浴室４００の天井裏に設置される。この浴室乾燥機１は、浴室４００内の乾燥、暖房或いは除湿など、様々なことを行うことができる。
【００３１】
浴室乾燥機１には、ケース５０３に収納される乾燥機本体５０１があり、乾燥機本体５０１には、乾燥機本体５０１の下面の少なくとも一部を覆うカバーとして後述する表面グリル５０９が取り付けられている。ケース５０３は、直方体状の箱となっているが、形状はそれに限らず種々の形状を採用し得る。
【００３２】
乾燥機本体５０１の一側面には、浴室４００内から吸われた空気を浴室乾燥機１の外に排出するための図示しない排気口１０１があり、ケース５０３には、その排気口１０１から排出される空気が流れる排気ダクト（排気管）が取り付けられる。
【００３３】
図２は、浴室乾燥機の制御系を示すブロック図である。制御装置５１９は、例えば、ＣＰＵ６２５やメモリ６２１を備えている。ＣＰＵ６２５は、例えば、操作パネル７００、温度センサ５５１Ａ、５５１Ｂ及び湿度センサ５５３のうちの少なくとも一つから信号を受けた場合、その信号をもとに、吸引ファン用モータ５４１、再生ファン用モータ５３５、除湿ロータ用モータ６０、切換ダンパ用モータ６１１、暖房ヒータ３０、再生ヒータ４０、補助ヒータ４０００及びルーバ用モータ６２３のうちの少なくとも一つを必要に応じて制御することができる。換言すれば、例えば、ＣＰＵ６２５は、吸引ファン２０の回転、再生ファン５０の回転、回転除湿ロータ１０の回転、切換ダンパ７０の開閉の度合い、暖房ヒータ３０による発熱、再生ヒータ４０による発熱、補助ヒータ４０００による加熱及び可動ルーバ５０５を制御することができる。
【００３４】
図３は、操作パネル７００の一例を示す。操作パネル７００は、浴室乾燥機１のユーザインタフェース（例えばリモートコントローラ）である。操作パネル７００には、浴室乾燥機１が実行できる複数の運転モードにそれぞれ対応した複数の運転モードスイッチが備えられている。具体的には、例えば、「換気」、「衣類乾燥」、「浴室除湿」、「暖房」、および「涼風」などの運転モードにそれぞれ対応した運転モードスイッチ（運転モードボタン）が搭載されている。ユーザは、浴室乾燥機１に実行してもらいたい運転モードに対応した運転モードスイッチを操作することにより、所望の運転モードを浴室乾燥機１に実行させることができる。
【００３５】
制御装置５１９は、操作パネル７００の或る運転モードスイッチの投入信号を受けた場合、温度センサ５５１Ａ、５５１Ｂ及び湿度センサ５５３のうちの少なくとも一つの検出結果（例えば相対湿度）から、吸引ファン２０、暖房ヒータ３０、再生ヒータ４０、補助ヒータ４０００、再生ファン５０、除湿ロータ用モータ６０及び切換ダンパ７０のうちの少なくとも一つを制御し、それにより、投入されたスイッチに対応する運転モードを実行する。
【００３６】
ここで、本実施形態における浴室乾燥機の運転モードには、大きく分けて「換気」モードと「循環」モードとがある。「換気」モードは、浴室内の空気を外部へ排気することを目的とするモードである。「循環」モードは、空気を循環させて、浴室内を乾燥させることを目的とするモードであり、複数の動作モードが含まれる。例えば、本実施形態では、以下に説明する「衣類乾燥」モード、「浴室除湿」モード、「暖房」モード、及び「涼風」モードが「循環」モードに含まれる。
【００３７】
また、操作パネル７００には、液晶表示部７０１を用いて運転時間、運転開始時刻、運転終了時刻を設定できるようになっている。使用者は、指示スイッチ７０２ａ、７０２ｂを用いて、この液晶表示部７０１に表示されている運転時間、運転開始時刻、運転終了時刻のいずれかにカーソルを持っていき、それぞれ運転時間、運転開始時刻、運転終了時刻を設定することができる。そして、設定が終了すると確定スイッチ７０３を操作（押圧）することにより、その内容が登録される。なお、終了スイッチ７０４は、浴室乾燥機１の運転を終了するときに用いられるスイッチである。
【００３８】
以下、図４〜図８を参照して、各運転モードにおける空気の流れなどについて説明する。
【００３９】
図４は、「除湿」モードの場合のダンパの状態や空気の流れを示す動作図であり、図５は、「除湿」モードの場合のヒータの状態や空気の流れなどを説明するための説明図である。
【００４０】
まず、図４などを用いて、浴室乾燥機１の構成の概要について説明する。
【００４１】
乾燥機本体５０１の表面側（下面）には、浴室４００内への空気の循環吹出口７５４と、その循環吹出口７５４からの風の向きを調節する可動ルーバ５０５とが備えられる。
【００４２】
乾燥機本体５０１の表面側（下面）と表面グリル５０９との間には、或る程度の隙間があり、その隙間が、浴室乾燥機１にとっての吸込口７５５となっている。
【００４３】
換言すれば、浴室乾燥機１の側面全て或いは一部に、吸込口７５５が設けられ、いわゆる側面吸気が行われるようになっている。吸込口７５５から吸い込まれた空気は、乾燥機本体５０１の下面から乾燥機本体５０１の内部に入る。
【００４４】
乾燥機本体５０１からの空気の吹出口である循環吹出口７５４に、可動ルーバ５０５があり、可動ルーバ５０５の近傍に、可動ルーバ５０５を駆動するモータ（以下、ルーバ用モータ）が備えられる。
【００４５】
乾燥機本体５０１の内部には、回転除湿ロータ１０、再生ヒータ４０及び補助ヒータ４０００が搭載されている。
【００４６】
本実施形態では、乾燥機本体５０１の表面側（下面）に、空気の吸込口（以下、浴室乾燥機１の側面の吸込口７５５と混同しないようにするため、「本体吸込口」という言葉を用いる）が設けられ、上記側面吸気された空気が本体吸込口を介して乾燥機本体５０１に吸い込まれる。本体吸込口は、例えば、吸引ファン２０が回転することによって吸い込まれる空気の吸込口（以下、吸引ファン吸込口７５６）と、再生ファン５０が回転することによって吸い込まれる空気の吸込口（以下、再生ファン吸込口７５７）とに仕切ることができる（仕切ることなく一つの共通の吸込口とされてもよい）。
【００４７】
ケース５０３の内部に、浴室乾燥機１の種々の構成要素（例えば、吸引ファン２０や、その吸引ファン２０を駆動するためのモータ（以下、吸引ファン用モータ５４１など）が備えられる。この吸引ファン２０から吹出された空気が、排気風路１００を経て、排気口１０１から排気ダクト（排気管）へ排出される。
【００４８】
ケース５０３の内部には、再生ファン５０を駆動するためのモータ（以下、再生ファン用モータ５３５）と、浴室乾燥機１の種々の構成要素を制御するための制御装置５１９とが備えられる。
【００４９】
浴室乾燥機１内に、回転除湿ロータ１０、除湿ロータ用モータ６０、再生ヒータ４０、吸引ファン２０及び吸引ファン用モータ５４１、可動ルーバ５０５、暖房ヒータ３０、切換ダンパ７０、切換ダンパ用モータ６１１、再生ファン５０及び再生ファン用モータ５３５が備えられている。乾燥機本体５０１内には、循環風路９００と再生風路２００とが形成されている。
【００５０】
これにより、吸引ファン２０及び再生ファン５０のうち吸引ファン２０のみを回転させた場合には、浴室乾燥機１の側面にある吸込口７５５から吸引ファン吸込口７５６を経て回転除湿ロータ１０を介して上流へと空気が吸引される。吸引ファン２０及び再生ファン５０の両方を回転させた場合には、浴室乾燥機１の側面にある吸込口７５５から吸い込まれた空気の一部が吸引ファン吸込口７５６を経て回転除湿ロータ１０を介して上流へと吸引され、残りの一部が再生ファン吸込口７５７を経て回転除湿ロータ１０を介して再生風路２００へと吸引される。以下、これらの点や各構成要素について詳細に説明する。
【００５１】
回転除湿ロータ１０は、円盤状のデシカント部材であり、上下方向に空気が通過できるような風路を有している（例えば上下方向に貫けた多数の孔がある）。具体的には、例えば、回転除湿ロータ１０は、水分を吸着するための吸着剤（例えば、ゼオライト及び／又はシリカゲル）が担持された、セラミックス製のペーパであり、いわゆるハニカム構造になっている。つまり、回転除湿ロータ１０の上下方向の空気が通過する風路は、細かく区切られた複数の風路の集合となっていて、各風路で水分の吸着が行われる。回転除湿ロータ１０の直径は、例えば１５０乃至３００ミリメータ程度であり、その厚みは１５乃至５０ミリメータ程度である。回転除湿ロータ１０は、乾燥機本体５０１の表面側（下面）にある本体吸込口の付近に設けられ、本体吸込口から入った空気の全部或いは大部分が通るようなサイズに構成されている。
【００５２】
除湿ロータ用モータ６０は、回転除湿ロータ１０の中心を回転軸として回転除湿ロータ１０を回転させるモータである。
【００５３】
再生ヒータ４０は、回転除湿ロータ１０の上流、例えば、回転除湿ロータ１０の表面側（下面）の或る部分の真下に搭載される。再生ヒータ４０の水平方向のサイズは、回転除湿ロータ１０の水平方向のサイズよりも小さい（例えば回転除湿ロータ１０の水平方向サイズの４分の１以下である）。再生ヒータ４０の発熱により、回転除湿ロータ１０が、吸着した水分を放出し、それにより、回転除湿ロータ１０の除湿能力が再生する。具体的には、回転除湿ロータ１０を回転させつつ再生ヒータ４０が発熱すれば、再生ヒータ４０により加熱された空気が回転除湿ロータ１０を通ることにより、回転除湿ロータ１０の各部で吸着した水分が放出されるので、水分を吸着したことによって低下した回転除湿ロータ１０の除湿能力を再生することができる（その際、再生ファン５０を回転させることにより、回転除湿ロータ１０から放出された水分を浴室外へ排出することができる）。また、再生ヒータ４０が発熱することにより、回転除湿ロータ１０に吸着された異臭物質を放出させることもできる。
【００５４】
吸引ファン２０の上に吸引ファン用モータ５４１が取り付けられている。吸引ファン２０は、例えば遠心型のファンであり、吸引ファン用モータ５４１の駆動により回転する。この吸引ファン２０が回転することにより、浴室乾燥機１の側面にある吸込口７５５から浴室内の空気が吸われ、その吸われた空気が、吸引ファン吸込口７５６から回転除湿ロータ１０を介して上方へと流れる。上方へと流れたその空気は、切換ダンパ７０の開閉状態に応じて、排気風路１００と循環風路９００の下流部９００Ｂとのうちの少なくとも一方に流れる。なお、回転除湿ロータ１０よりも上流の空気の温度を検出するための温度センサ５５１Ａと、その空気の相対湿度を検出するための湿度センサ５５３が、回転除湿ロータ１０と本体吸込口との間の空間における所定の場所に備えられる。具体的には、例えば、各センサ５５１Ａ、５５３は、再生ヒータ４０の高さ位置と同程度の位置に備えられる。
【００５５】
吸引ファン２０により回転除湿ロータ１０を介して吸われた空気は、吸引ファン２０から左側にかけた空間に流れる（図４参照）。吸引ファン２０の左隣には、更に左へと延設され途中から下へと延びた循環風路９００が設けられている。循環風路９００は、左へと延設された部分（換言すれば、吸引ファン２０の左隣の空間）である上流部（以下、循環風路上流部）９００Ａと、上流部９００Ａから下へと延びた下流部（以下、循環風路下流部）９００Ｂとで構成することができる。循環風路上流部９００Ａは、循環風路下流部９００Ｂと、左方向の排気口１０１へと延びた排気風路１００とに分岐している。排気風路１００を流れる空気は、排気口１０１及び排気ダクト（排気管）を介し浴室外に排出される。一方、循環風路下流部９００Ｂを流れる空気は、循環吹出口７５４から浴室内に排出される。吸引ファン２０の左に流れた空気が排気風路１００と循環風路下流部９００Ｂとのどちら又は両方に流れるかは、循環風路上流部９００Ａ（吸引ファン２０の左隣空間）に設けられた切換ダンパ７０の開閉状態によって決まる。切換ダンパ７０の開閉状態は、切換ダンパ用モータ６１１の駆動を制御することにより、調節することができる。
【００５６】
循環風路９００の下流側（例えば循環吹出口７５４の付近）に、暖房ヒータ３０が備えられる。暖房ヒータ３０が発熱することにより、暖房ヒータ３０を通る空気が暖められ、暖められた空気が、循環吹出口７５４から浴室内へと出される。なお、暖められた空気の温度を検出するための温度センサ５５１Ｂが所定の場所に備えられる。具体的には、例えば、温度センサ５５１Ｂは、暖房ヒータ３０の下流側、より具体的には、例えば、暖房ヒータ３０と可動ルーバ５０５との間に備えられる。暖房ヒータ３０や再生ヒータ４０としては、種々のヒータを採用し得るが、例えば、ＰＴＣ（Positive Temperature Coefficient：正温度係数）ヒータを用いることができる。ＰＴＣヒータは、抵抗体の電気抵抗値が、温度上昇と共に増加するために、自己温度制御性を有する。
【００５７】
排気風路１００の途中（例えば排気口１０１の近傍）は、再生風路２００と合流する。すなわち、再生風路２００は、回転除湿ロータ１０の下流側の或る位置で排気風路１００と合流し、そのまま上へと延びて。排気口１０１及び排気ダクトを介し浴室外に排出される（図４参照）。
【００５８】
再生ファン５０には再生ファン用モータ５３５が取り付けられている。再生ファン５０は、例えば遠心型のファンであり、再生ファン用モータ５３５の駆動により回転する。この再生ファン５０が回転することにより、浴室乾燥機１の側面にある吸込口７５５から浴室内の空気が吸われ、その吸われた空気が、再生ファン吸込口７５７から再生ヒータ４０を通り回転除湿ロータ１０を介して上流へと流れる。上流へと流れたその空気は、再生風路２００へと流れる。
【００５９】
次に、図４及び図５を用いて、「除湿」モードの場合のダンパの状態や空気の流れについて説明する。制御装置５１９は、「除湿」モードの場合、図４および図５に示すように、回転除湿ロータ１０を或る回転速度（例えば、毎分０．５回転程度）で回転させる。また、制御装置５１９は、吸引ファン２０及び回転除湿ロータ１０を回転させ、切換ダンパ７０を全閉状態（排気風路１００の入口を完全に遮断し、吸引ファン２０の左側の空間に出た空気の全てが循環風路下流部９００Ｂに流れる状態）にし、暖房ヒータ３０の電源をオフ状態とする。また、制御装置５１９は、再生ファン５０を回転させ、再生ヒータ４０の電源をオン状態とする。これにより、矢印Ａ、Ｂ、Ｃ及びＤに示すように、浴室内の空気が除湿されつつ循環し、また、矢印Ｆ、Ｇ及びＨに示すように、多湿の空気が再生風路２００から排気ダクト（排気管）を介して浴室外に排出される。つまり、「除湿」モードによれば、浴室から多湿の空気を吸引し、回転除湿ロータ１０で水分を吸着することにより湿気の少なくなった空気を浴室に吹出するようになっており、その間、水分を吸着することにより低下した回転除湿ロータ１０の除湿能力が再生ヒータ４０により再生されるので、浴室内を除湿することができる。補助ヒータ４０００は、後述するクリーニングモード時に使用するヒータであり、補助ヒータ４０００の「ＯＮ」、「ＯＦＦ」のタイミングについては、図９を用いて後述する。
【００６０】
なお、例えば、再生ヒータ４０に、発熱量を調節できる機能が搭載されているような場合には、電源オン状態の代わりに所定量以上の発熱、電源オフ状態の代わりに所定量以下の発熱という制御を行っても良い。
【００６１】
図６は、「衣類乾燥」モード及び「涼風」モードの場合のダンパの状態や空気の流れを示す動作図である。
【００６２】
制御装置５１９は、「衣類乾燥」モードの場合、図６に示すように、吸引ファン２０を回転させるが、回転除湿ロータ１０及び再生ファン５０を回転させない。また、制御装置５１９は、暖房ヒータ３０の電源をオン状態とするが、再生ヒータ４０の電源はオフ状態とする。さらに、制御装置５１９は、切換ダンパ７０を半開状態（排気風路１００の入口と循環風路下流部９００Ｂ入口との両方を完全には遮断せず、循環風路上流部９００Ａに出た空気の一部が排気風路１００に流れ残りの一部が循環風路下流部９００Ｂに流れる状態）にする。これにより、「衣類乾燥」モードによれば、矢印Ａ、Ｂ、Ｃ、Ｅ及びＨに示すように、吸引ファン２０に吸われた空気の一部が排気風路１００から排気ダクト（排気管）を介して浴室外に排出され、矢印Ａ、Ｂ、Ｃ及びＤに示すように、浴室内の空気を加熱しながら循環させることで、浴室内に干された衣類の乾燥を促進させることができる（しかし、「除湿」モードと違って、回転除湿ロータ１０及び再生ファン５０は回転せず再生ヒータ４０の発熱が行われないので、回転除湿ロータ１０の再生は行われない）。
【００６３】
なお、「涼風」モードの場合は、暖房ヒータ３０の電源もオフ状態とされる点が「衣類乾燥」モードの場合と異なるが、他は同じである。
【００６４】
図７は、「暖房」モードの場合のダンパの状態や空気の流れを示す動作図である。
【００６５】
制御装置５１９は、「暖房」モードの場合、図７に示すように、吸引ファン２０を回転させるが、回転除湿ロータ１０及び再生ファン５０を回転させない。また、制御装置５１９は、暖房ヒータ３０の電源をオン状態とするが、再生ヒータ４０の電源はオフ状態とする。さらに、制御装置５１９は、切換ダンパ７０を全閉状態（排気風路１００の入口を完全に遮断し、吸引ファン２０の左側の空間に出た空気の全てが循環風路下流部９００Ｂに流れる状態）にする。これにより、「暖房」モードでは、矢印Ａ、Ｂ、Ｃ及びＤに示すように、浴室内の空気が暖められつつ循環する（「暖房」モードでも、回転除湿ロータ１０及び再生ファン５０は回転せず再生ヒータ４０の発熱が行われないので、回転除湿ロータ１０の再生は行われない）。
【００６６】
図８は、「換気」モードの場合のダンパの状態や空気の流れを示す動作図である。
【００６７】
制御装置５１９は、「換気」モードの場合、図８に示すように、吸引ファン２０を回転させるが、回転除湿ロータ１０及び再生ファン５０を回転させない。また、制御装置５１９は、暖房ヒータ３０の電源も再生ヒータ４０の電源もオフ状態とする。さらに、制御装置５１９は、切換ダンパ７０を全開状態（循環風路下流部９００Ｂの入口を完全に遮断し、循環風路上流部９００Ａに出た空気の全てが排気風路１００に流れる状態）とする。これにより、「換気」モードでは、矢印Ａ、Ｂ、Ｃ、Ｅ及びＨに示すように、浴室内の空気が排気風路１００から排気ダクト（排気管）を経て浴室外に排出される（「換気」モードでも、回転除湿ロータ１０及び再生ファン５０は回転せず再生ヒータ４０の発熱が行われないので、回転除湿ロータ１０の再生は行われない）。なお、「換気」モードでは、吸引ファン２０の回転に代えて又は加えて、再生ファン５０を回転させてもよい。
【００６８】
上述するように、本実施形態に係る浴室乾燥機は、「除湿」モード以外のモードで運転を行った場合でも、吸引ファン２０を回転することで、浴室内の空気が回転除湿ロータ１０を通過して循環風路９００へと吸い込まれる。従って、「除湿」モード以外のモードで運転を行うと、回転除湿ロータ１０には空気中の水分だけでなく、異臭物質が吸着される。これを放置すると、回転除湿ロータ１０の除湿能力が低下したり、悪臭やカビが発生したりする原因となる。特に、運転モードの開始時に、回転除湿ロータ１０に多湿の空気が吸い込まれることにより、回転除湿ロータ１０に吸着された異臭物質が一気に大量に排出される。そこで、本実施形態に係る浴室乾燥機は、回転除湿ロータ１０のクリーニングを行うクリーニングモードを備えている。
【００６９】
次に、図９を用いて、クリーニングモードが行われるタイミングについて説明する。
図９は、本発明の一実施形態における浴室乾燥機のクリーニングモードが行われるタイミングを示すフローチャートである。
【００７０】
(運転モード選択時)
まず、Ｓ１において、「Ｆ（フラグ）＝０」かが判断される。そして、「Ｙ（ＹＥＳ）」の場合は、Ｓ２に進み、運転モードが選択されたかが判断される。この運転モードが選択されたか否かは、図３に示す「換気スイッチ」、「衣類乾燥スイッチ」、「浴室除湿スイッチ」、「暖房スイッチ」、または「涼風スイッチ」が操作（押圧）されたかにより判断される。なお、このＳ２で運転モードが選択されたかは、押圧されたタイミングをもって、「Ｙ」と判断される。そして、Ｓ２で「Ｙ」と判断された場合には、Ｓ３に進み、運転モードが一時休止される。すなわち、図２に示す「換気スイッチ」、「衣類乾燥スイッチ」、「浴室除湿スイッチ」、「暖房スイッチ」、または「涼風スイッチ」のいずれかのスイッチが押圧されると、本来、その運転モードに応じた運転が開始されるが、Ｓ３によりその運転を一時休止させている。すなわち、運転モードの開始をクリーニングが完了するまで一時的に休止させている。そして、Ｓ４により「Ｆ＝１」に設定され、再度、Ｓ１に進む。このように、運転開始時に運転モードを一時休止させているのは、運転開始時に、回転除湿ロータ１０に多湿の空気が吸い込まれると、回転除湿ロータ１０に吸着された臭気物質が一気に放出され、使用者の異臭による不快感を与えるからである。
【００７１】
次に、再度Ｓ１において「Ｆ＝０」かが再度判断される。ここで、Ｓ４により「Ｆ＝１」に設定されているのでＳ１により「Ｎ（ＮＯ）」と判断され、Ｓ５に進む。そして、Ｓ５により「Ｆ＝１」かが判断され、Ｓ４により「Ｆ＝１」に設定されているので、Ｓ５により「Ｙ」と判断され、Ｓ６により高速クリーニング時間（ＴＢ）が設定され、Ｓ７によりクリーニングが実行される。なお、この高速クリーニング時間（ＴＢ）は、後述する集中クリーニング時間より短い時間である。つまり、運転モードの選択時では、運転モードの開始をクリーニングが完了するまで一時的に休止させているため、あまり長い時間クリーニングを行うと、使用者が運転モードが開始しないことに不満を感じるおそれがあるので、運転モード選択時では短い時間を設定している。このように、運転モードの開始時には、後述する集中クリーニング時間（ＴＣ）より短い高速クリーニング時間（ＴＢ）が設定されているが、この高速クリーニング時間（ＴＢ）のクリーニングであっても、クリーニング開始時に大量の異臭物質が回転除湿ロータ１０から放出されることにより、使用者に異臭による不快感を生じさせないようにすることができる。
【００７２】
このＳ７のクリーニングの実行では、再生ファン５０、再生ヒータ４０および補助ヒータ４０００が「ＯＮ」され、再生ヒータ４０で空気が加熱されるのみならず補助ヒータ４０００でも空気が加熱されることにより、回転除湿ロータ１０に向かう空気がより高温になり、その高温になった空気により回転除湿ロータ１０に吸着された異臭物質を活性化させ放出（離脱）させ、異臭物質を除去することができる。そして、Ｓ８に進み、Ｓ８より、クリーニングが終了したかが判断され、クリーニングが終了していない、すなわち、高速クリーニング時間（ＴＢ）分のクリーニングが行われていないと判断された場合には、Ｓ７に進み、高速クリーニング時間（ＴＢ）分のクリーニングが終了するまで、Ｓ８→Ｓ７→Ｂ８のループが行われる。そして、Ｓ８によりクリーニングが終了したと判断された場合には、Ｓ９により、クリーニングタイマー（ＴＡ）がスタートされる。このクリーニングタイマー（ＴＡ）は、後述するように、クリーニングが終了した後１時間ごとにクリーニングを行う時間を計時するためのタイマーである。その後、Ｓ１０により、運転モードが休止しているかが判断され、Ｓ３により運転モードが一時休止しているので、Ｓ１０により「Ｙ」と判断され、Ｓ１１により運転モードが運転モードの休止が解除され、運転モードが再開され、Ｓ１２により「Ｆ＝０」に設定され、再度Ｓ１に進む。これにより、Ｓ３により休止していた運転モードが再開される。
【００７３】
(運転モード実行時)
Ｓ１において、「Ｆ＝０」かが再度判断され、Ｓ１２により「Ｆ＝０」に設定されているのでＳ１により「Ｙ」と判断され、Ｓ２に進む。そして、Ｓ２により、運転モードが選択されたかが判断される。この運転モードが選択されたかの判断は、運転モードが選択されたタイミングをもって判断されるため、Ｓ２により「Ｎ」と判断され、Ｓ１３に進む。
【００７４】
Ｓ１３において、運転モードが実行中かが判断される。本実施形態では、Ｓ２で運転モードが開始され、Ｓ１１により運転モードが再開されている状態で、後述するＳ１４により運転モードが終了したとまだ判断されていないので、Ｓ１３により「Ｙ」と判断され、Ｓ１４に進む。
【００７５】
Ｓ１４において、運転モードが終了したかが判断される。この運転モードが終了したかは、図３に示す終了スイッチ７０４が操作（押圧）されたかにより判断される。Ｓ１４により運転モードが終了していると判断されていない場合には、Ｓ１５に進む。なお、本実施形態では、運転モードが終了したかを、終了スイッチ７０４が操作（押圧）されたかにより判断したが、これに限らず、図３に示す操作パネル７００により設定された運転終了時刻が経過することにより運転モードが終了したと判断してもよいし、運転モードのスイッチが押圧されてから一定時間経過することにより運転モードが終了したと判断してもよい。
【００７６】
Ｓ１５において、クリーニングタイマー（ＴＡ）が１時間経過しているかが判断される。そして、クリーニングタイマー（ＴＡ）が１時間経過していない場合はＳ１５により「Ｎ」判断され、再度Ｓ１に進む。そして、Ｓ１により「Ｆ＝０」かが判断され、Ｓ１２により「Ｆ＝０」に設定されているので、Ｓ１により「Ｙ」と判断され、Ｓ２により、運転モードが選択されたかが判断され、Ｓ２により「Ｎ」と判断され、Ｓ１３により、運転モードが実行中かが判断され、まだ運転モードが実行中の場合はＳ１３により「Ｙ」と判断され、Ｓ１４により運転モードが終了したか、すなわち終了スイッチ７０４が押圧されたが判断され、Ｓ１４により運転モードが終了していると判断されない場合には、Ｓ１５に進む。その後、Ｓ１５において、クリーニングタイマー（ＴＡ）が１時間経過しているかが判断され、運転モードが終了していない場合は、クリーニングモードタイマー（ＴＡ）が１時間を経過するまで、このＳ１５→Ｓ１→Ｓ２→Ｓ１３→Ｓ１４→Ｓ１５のループが行われる。そして、Ｓ１５により、クリーニングタイマー（ＴＡ）が１時間経過したと判断された場合には、Ｓ１６に進み、Ｓ１６により「Ｆ＝１」が設定され、再度Ｓ１に進む。このように、運転モードの実行中では、運転モードを一時停止していない（Ｓ３の処理がない）。これにより、運転モード実行中では、運転モードを一時休止せずに回転除湿ロータ１０のクリーニングが行われる。これは、運転モードの実行中では、回転除湿ロータ１０にはあまり異臭物質が蓄積されておらず、運転モードを実行しても、特に異臭物質が大量に放出される可能性が少ないからである。
【００７７】
次に、Ｓ１において、「Ｆ＝０」かが再度判断され、Ｓ１６により「Ｆ＝１」に設定されているのでＳ１により「Ｎ（ＮＯ）」と判断され、Ｓ５に進む。そして、Ｓ５により「Ｆ＝１」かが判断され、Ｓ１６により「Ｆ＝１」に設定されているので、Ｓ５により「Ｙ」と判断され、Ｓ６により高速クリーニング時間（ＴＢ）が設定され、Ｓ７によりクリーニングが実行される。なお、この高速クリーニング時間（ＴＢ）は、上述したように後述する集中クリーニング時間（ＴＢ）より短い時間が設定されている。これは、運転モードの実行中にクリーニングを行うのは、回転除湿ロータ１０に異臭物質が大量に蓄積されることを防止するためであり、この目的を達成させるためにはそれほど長い時間クリーニングを行う必要がないからである。すなわち、運転モードの実行中は常に回転除湿ロータ１０に空気が通過して異臭物質が吸着されているため、長時間のクリーニングを行っても異臭物質を完全に除去することはできない。しかし、大量の異臭物質の蓄積を防止するためには、短時間のクリーニングを行えば十分であり、むしろ、短い高速クリーニング時間（ＴＢ）のクリーニングを行うことにより、不必要な電力を使用せず省エネ化を図ることができる。このように回転除湿ロータ１０への大量の異臭物質の蓄積を防止することにより、後述する運転終了時のクリーニングで迅速に異臭物質を除去することが可能となる。
【００７８】
このＳ７により実行されるクリーニングでは、再生ヒータ４０および補助ヒータ４０００が「ＯＮ」され、再生ヒータ４０で空気が加熱されるのみならず補助ヒータ４０００でも空気が加熱されることにより、回転除湿ロータ１０に向かう空気がより高温になり、その高温になった空気により回転除湿ロータ１０に吸着された異臭物質を活性化させ放出（離脱）させ、異臭物質を排出させている。そして、Ｓ８により、高速クリーニング時間（ＴＢ）分のクリーニングが行われていないと判断された場合には、Ｓ７に進み、高速クリーニング時間（ＴＢ）分のクリーニングが終了するまで、Ｓ８→Ｓ７→Ｂ８のループが行われる。そして、Ｓ８によりクリーニングが終了したと判断された場合には、Ｓ９により、クリーニングタイマー（ＴＡ）がスタートされる。このクリーニングタイマー（ＴＡ）は、上述したように、クリーニングが終了した後１時間ごとにクリーニングを行う時間を計時するためのタイマーである。その後、Ｓ１０により、運転モードが休止しているかが判断され、上述したように運転モード実行時には運転モードが一時休止していないので「Ｎ」と判断され、Ｓ１２により「Ｆ＝０」に設定され、再度、Ｓ１に進む。
【００７９】
(運転終了時)
Ｓ１において、「Ｆ＝０」かが再度判断され、Ｓ１２により「Ｆ＝０」に設定されているので「Ｙ」となり、Ｓ２に進む。Ｓ２では、運転モードが選択されたかが判断される。この運転モードが選択されたかの判断は、運転モードが選択されたタイミングをもって判断されるため、Ｓ２により「Ｎ」と判断され、Ｓ１３に進む。
【００８０】
Ｓ１３において、運転モードが実行中かが判断される。本実施形態では、Ｓ２で運転モードが選択され、Ｓ１１により運転モードの休止が解除され再開されているので、またＳ１４により運転モードが終了しているとまだ判断されていないので、Ｓ１３により「Ｙ」と判断され、Ｓ１４に進む。
【００８１】
Ｓ１４において、運転モードが終了したかが判断される。この運転モードが終了したかは、図３に示す終了スイッチ７０４が押圧されたかにより判断される。ここで、Ｓ１４により、運転モードが終了したと判断された場合には、Ｓ１７に進み、「Ｆ＝２」に設定され、再度Ｓ１に進む。なお、本実施形態では、運転モードの終了を終了スイッチ７０４が操作（押圧）されたかにより判断したが、これに限らず、図３に示す操作パネル７００により設定された運転終了時刻が経過することにより運転モードが終了したと判断してもよいし、運転モードが開始してから一定時間経過することにより運転モードが終了したと判断してもよい。
【００８２】
Ｓ１において、「Ｆ＝０」かが再度判断され、Ｓ１７により「Ｆ＝２」に設定されているので、Ｓ１により「Ｎ（ＮＯ）」と判断され、Ｓ５に進む。そして、Ｓ５において、「Ｆ＝１」かが判断され、Ｓ１７により「Ｆ＝２」に設定されているので、Ｓ５により「Ｎ」と判断され、Ｓ１８により集中クリーニング時間（ＴＣ）が設定され、Ｓ７によりクリーニングが実行される。なお、この集中クリーニング時間（ＴＣ）は、上述した高速クリーニング時間（ＴＢ）より長い時間が設定されている。これは、選択された運転モードを迅速に開始しなければ使用者の不快感を招く運転モードの選択時と異なり、運転モードの終了時にはさほど迅速性が求められないため、長い時間（ＴＣ）をかけてクリーニングを行うことができるからである。このように、運転モードの終了後において、集中クリーニング時間（ＴＣ）のクリーニングを行うことにより、運転モード終了時において、回転除湿ロータ１０に吸着された異臭物質が十分放出され、次回の使用時に使用者に不快感を与えることがなくなる。
【００８３】
すなわち、運転モードが終了すれば、その後に回転除湿ロータ１０のクリーニングを行う必要がないようにも思えるが、次回の運転モードの開始時までにも空気が回転除湿ロータ１０を通過（たとえば、２４時間換気システムなどが作動している場合には、確実に空気の流れが生じ、回転除湿ロータ１０を空気が通過）し、回転除湿ロータ１０に異臭物質が付着する。このことから、運転モード終了時に、回転除湿ロータ１０のクリーニングを十分行うことにより、次回の運転モード選択時の回転除湿ロータ１０のクリーニング時間を短くできるという効果を有する。
【００８４】
このＳ７により実行されるクリーニングでは、上述したように、再生ファン５０、再生ヒータ４０および補助ヒータ４０００が「ＯＮ」され、再生ヒータ４０で空気が加熱されるのみならず補助ヒータ４０００でも空気が加熱されることにより、回転除湿ロータ１０に向かう空気がより高温になり、その高温になった空気により回転除湿ロータ１０に吸着された異臭物質を活性化させ放出（離脱）させ、異臭物質を排出させている。そして、Ｓ８により、集中クリーニング時間（ＴＣ）分のクリーニングが行われていないと判断された場合には、Ｓ７に進み、集中クリーニング時間（ＴＣ）分のクリーニングが終了するまで、Ｓ８→Ｓ７→Ｂ８のループが行われる。そして、Ｓ８によりクリーニングが終了したと判断された場合には、Ｓ９により、クリーニングタイマー（ＴＡ）がスタートされる。このクリーニングタイマー（ＴＡ）は、上述したように、クリーニングが終了した後１時間ごとにクリーニングを行う時間を計時するためのタイマーである。その後、Ｓ１０により、運転モードが休止しているか判断され、現在運転モードが休止していないので、Ｓ１２に進み。そして、Ｓ１２により「Ｆ＝０」に設定され、再度、Ｓ１に進む。
【００８５】
（運転終了後）
Ｓ１において、Ｆ＝０かが再度判断され、Ｓ１２により「Ｆ＝０」に設定されているので、Ｓ１により「Ｙ」と判断され、Ｓ２に進む。Ｓ２では、運転モードが選択されたかが判断される。この運転モードが選択されたかの判断は、運転モードが選択されたタイミングをもって判断されるため、Ｓ２により「Ｎ」と判断され、Ｓ１３に進む。
【００８６】
Ｓ１３において、運転モードが実行中かが判断される。Ｓ１４により運転モードが終了したと判断されているので、Ｓ１３により「Ｎ」と判断され、再度Ｓ１に進む。そして、次回の運転モードが選択されるまで、Ｓ１→Ｓ２→Ｓ１３→Ｓ１のループが行われる
【００８７】
このように、本実施形態における浴室乾燥機では、運転モード選択時に回転除湿ロータ１０が高速クリーニング時間（ＴＢ）の間クリーニングされ、また運転モード実行中には１時間ごとに回転除湿ロータ１０が高速クリーニング時間（ＴＢ）の間クリーニングされる。そして、運転モード終了時には回転除湿ロータ１０が集中クリーニング時間（ＴＣ）の間クリーニングされる。
【００８８】
（第１実施形態）
次に、図１０を用いて、運転モードの選択時に行われるクリーニングモードについて説明する。図１０は、本発明の第１実施形態における浴室乾燥機の運転モード選択時に行われるクリーニングモードのタイムチャートを示す図である。なお、図１０では、運転モードの一例として、「暖房」モードが選択された場合に行われるクリーニングモードについて示しているが、他の運転モードについても同様のクリーニングモードが行われる。ここで、図９（Ｓ６参照）を用いて説明したように、運転モード選択時に行われる回転除湿ロータ１０のクリーニング時間は、高速クリーニング時間（ＴＢ）である。
【００８９】
図１０に示すように、「暖房」モード（運転モード）のスイッチが押圧（投入）されると、回転除湿ロータ１０のクリーニング（図９のＳ７）が実行される。この回転除湿ロータ１０のクリーニングでは、再生ファン５０が「ＯＮ」にされ、再生風路２００内の空気を排出する方向に流れるようにして、再生ヒータ４０および補助ヒータ４０００を「ＯＮ」として回転除湿ロータ１０に向かう空気の温度を高温としている。これにより、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【００９０】
また、この回転除湿ロータ１０のクリーニングでは、切換ダンパ７０が換気位置にされ、吸引ファン２０が高速（大）で回転されているので、浴室内から吸引された空気が排気風路１００に送り込まれ、その空気により回転除湿ロータ１０から高濃度で放出される再生風路２００内の異臭物質が浴室内に戻ってくることを防止している。
【００９１】
また、この回転除湿ロータ１０のクリーニングでは、切換ダンパ７０が換気位置にされ吸引ファン２０が高速（大）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、除去することができる。なお、「除湿」モードにおいては、「除湿」モード時は補助ヒータ４０００を「ＯＮ」していないので発熱量が小さく、再生風路２００内の空気の温度もさほど高くならないので、特に、再生風路２００内で排気風路１００内の温度の低い空気と混合されなくても、この熱によって排気管（図示略）等が熱損傷を起こす恐れはない。
【００９２】
そして、回転除湿ロータ１０のクリーニングが進むにつれ、換気位置の切換ダンパ７０が３／４開状態になり、さらに１／２開状態になる。これは、回転除湿ロータ１０のクリーニングが進むと、回転除湿ロータ１０に付着している異臭物質が放出され、循環風路９００に流れ込む空気を増やしても異臭の心配がほとんどないからである。これにより、回転除湿ロータ１０のクリーニングを行いながら、室内の暖房も行うことができる。
【００９３】
また、切換ダンパ７０を１／２開状態から閉じていないのは、切換ダンパ７０を閉じすぎると排気風路１００に流れる空気が少なくなり、再生風路２００内の空気の温度が排気風路１００内の空気により低下させることができなくなるからである。
【００９４】
そして、回転除湿ロータ１０のクリーニングが終了（図９のＳ８で「Ｙ」）すると、「暖房」モードの休止が解除され、「暖房」モードが再開される（図９のＳ１１）。「暖房」モードでは、図１０に示すように、切換ダンパ７０が全閉状態（排気風路１００の入口を完全に遮断し、吸引ファン２０の左側の空間に出た空気の全てが循環風路下流部９００Ｂに流れる状態）にされ、吸引ファン２０が高速（大）で回転されることにより、浴室内から吸引した空気が循環風路９００に送り込まれる。そして、暖房ヒータ３０を「ＯＮ」しているので、循環風路９００内の空気が加熱され、室内に送り込まれる。なお、「暖房」モードの実行時においては、再生ファン５０、再生ヒータ４０、および補助ヒータ４０００が「ＯＦＦ」状態で、また回転除湿ロータ１０も「ＯＦＦ」となり回転しない状態である。
【００９５】
なお、図１０では、「暖房」モードの選択時にクリーニングを実行する場合について説明したが、その他の運転モードの選択時に行われるクリーニングも高速クリーニング時間（ＴＢ）行われ、図１０で説明したクリーニングと同様のクリーニングが行われる。
【００９６】
次に、図１１を用いて、運転モードの終了時に行われるクリーニングモードについて説明する。図１１は、本発明の第１実施形態における浴室乾燥機の運転モード終了時に行われるクリーニングモードのタイムチャートを示す図である。なお、図１１では、運転モードの一例として、「換気」モードが選択された場合に行われるクリーニングモードについて示しているが、他の運転モードについても同様のクリーニングモードが行われる。ここで、図９（Ｓ１８参照）を用いて説明したように、運転モード終了時に行われる回転除湿ロータ１０のクリーニング時間は、集中クリーニング時間（ＴＣ）である。
【００９７】
図１１に示すように、「換気」モードでは、切換ダンパ７０が換気位置にされ、吸引ファン２０が高速（大）で回転されることにより、浴室内から吸引された空気が排気風路１００を介し浴室外に排出される。なお、「換気」モードの実行中においては、暖房ヒータ３０、再生ファン５０、再生ヒータ４０、および補助ヒータ４０００が「ＯＦＦ」状態で、また回転除湿ロータ１０も「ＯＦＦ」となり回転しない状態である。そして、「換気」モードが終了すると、回転除湿ロータ１０のクリーニング（図９のＳ７）が実行される。
【００９８】
この回転除湿ロータ１０のクリーニングでは、再生ファン５０が「ＯＮ」にされ、再生風路２００内の空気を排出する方向に流れるようにして、再生ヒータ４０および補助ヒータ４０００を「ＯＮ」として回転除湿ロータ１０に向かう空気の温度を高温としている。これにより、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【００９９】
また、この回転除湿ロータ１０のクリーニングでは、切換ダンパ７０が換気位置にされ、吸引ファン２０が低速（小）で回転しているが、これによっても浴室内から吸引された空気が排気風路１００に送り込まれ、その空気により回転除湿ロータ１０から高濃度で放出される再生風路２００内の異臭物質が浴室内に戻ってくることを防止することができる。
【０１００】
また、この回転除湿ロータ１０のクリーニングでは、切換ダンパ７０が換気位置にされ吸引ファン２０が低速（小）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。
【０１０１】
また、運転モード選択時の回転除湿ロータ１０のクリーニングと異なり、クリーニング全域において、切換ダンパ７０が換気位置を維持することとしているのは、運転モード終了時には、浴室４００内に空気を送る必要がなく、回転除湿ロータ１０のクリーニングのみを行えば十分だからである。
【０１０２】
そして、回転除湿ロータ１０のクリーニングが終了（図９のＳ８で「Ｙ」）すると、浴室乾燥機１の運転が終了する。
【０１０３】
なお、図１１では、「換気」モードの終了時にクリーニングを実行する場合について説明したが、その他の運転モードの終了時に行われるクリーニングも集中クリーニング時間（ＴＣ）行われ、図１１で説明したクリーニングと同様のクリーニングが行われる。
【０１０４】
（第２実施形態）
次に、本発明の第２実施形態の浴室乾燥機が行うクリーニングモードについて説明する。図１２は、本発明の第２実施形態の浴室乾燥機により行われるクリーニングモードの説明図である。なお、第１実施形態の浴室乾燥機１と第２実施形態の浴室乾燥機１とは、第１実施形態の浴室乾燥機１では、補助ヒータ４０００が再生風路２００に設けられていたのに対し、第２実施形態の浴室乾燥機１では、補助ヒータ４０００が循環風路９００に設けられている点で異なる。なお、クリーニングモードが行われるタイミング、運転モード選択時のクリーニングモード、および運転終了時のクリーニングモードの内容は、図９、図１０および図１１を用いて説明した内容と同様であるので説明は省略する。
【０１０５】
この構成によれば、補助ヒータ４０００が、循環風路９００の回転除湿ロータ１０の近傍下部に設けられているので、回転除湿ロータ１０に向かう空気を再生ヒータ４０で加熱させるとともに、回転除湿ロータ１０の近傍下部に設けられた補助ヒータ４０００により加熱させるので、回転除湿ロータ１０に向かう空気が再生風路２００および循環風路９００に亘る広範囲で高温となり、その高温になった空気により回転除湿ロータ１０に吸着された異臭物質を活性化させ放出（離脱）させ、短時間で異臭物質を排出させることができる。なお、本実施形態のクリーニングモードでは、再生ヒータ４０を単に「ＯＮ」すると説明したが、これに限らず、再生ヒータ４０が強弱の調整を行うことができ、クリーニングモードでは再生ヒータ４０を「強」とし、「除湿」モードでは再生ヒータ４０を「弱」にしてもよい。これにより、クリーニングモードでは、回転除湿ロータ１０に向かう空気をさらに高温とすることができる。また、本実施形態では、補助ヒータ４０００の他に暖房ヒータ３０を設けているが、これに限らず、暖房ヒータ３０を設けず、図１２に示す補助ヒータ４０００を高出力の補助ヒータ４０００として暖房ヒータ３０と兼用させてもよい。
【０１０６】
（暖房ヒータを補助ヒータとしたクリーニング）
次に、暖房ヒータ３０を補助ヒータとして用いて回転除湿ロータ１０のクリーニングを行う方法について説明する。
【０１０７】
図１３は、暖房ヒータ３０を補助ヒータとして用いた浴室乾燥機の制御系を示すブロック図である。なお、図１３の暖房ヒータ３０を補助ヒータとして用いた浴室乾燥機１の制御系を示すブロック図と、図２の専用の補助ヒータ４０００を用いた浴室乾燥機１の制御系を示すブロック図とは、図２のブロック図では補助ヒータ４０００が設けられているのに対し、図１３のブロック図では補助ヒータ４０００が設けられていない点で異なる。その他については同様であるので説明は省略する。
【０１０８】
（第３実施形態）
次に、本発明の第３実施形態の浴室乾燥機が行うクリーニングモードについて説明する。図１４は、本発明の第３実施形態の浴室乾燥機により行われるクリーニングモードの説明図である。なお、第１実施形態の浴室乾燥機１と第３実施形態の浴室乾燥機１とは、第１実施形態の浴室乾燥機１では、補助ヒータ４０００が再生風路２００に設けられていたのに対し、第３実施形態の浴室乾燥機１では、専用の補助ヒータ４０００を設けるのでなく循環風路９００に設けられている暖房ヒータ３０を補助ヒータとして使用している点と、表面グリル５０９が設けられていない点で異なる。
【０１０９】
次に、図１５を用いて、運転モードの選択時に行われるクリーニングモードについて説明する。図１５は、本発明の第３実施形態における浴室乾燥機の運転モード選択時に行われるクリーニングモードのタイムチャートを示す図である。なお、図１５では、運転モードの一例として、「暖房」モードが選択された場合に行われるクリーニングモードについて示しているが、他の運転モードについても同様のクリーニングモードが行われる。ここで、図９（Ｓ６参照）を用いて説明したように、運転モード選択時に行われる回転除湿ロータ１０のクリーニング時間は、高速クリーニング時間（ＴＢ）である。なお、図１５に示す「暖房」モードについては、図１０と同様であるので、ここでクリーニングモードについてのみ説明する。
【０１１０】
図１５に示すように、「暖房」モード（運転モード）のスイッチが投入されると、まずは、暖房モードに先駆けて回転除湿ロータ１０のクリーニング（図９のＳ７）が実行される。この回転除湿ロータ１０のクリーニングでは、再生ファン５０が「ＯＮ」にされ、再生風路２００内の空気を排出する方向に流れるようにして、再生ヒータ４０を「ＯＮ」として回転除湿ロータ１０に向かう空気を加熱している。これにより、後述するように、暖房ヒータ３０により加熱された空気が再生風路２００内の再生ヒータ４０でさらに加熱され、回転除湿ロータ１０に向かう空気が高温となり、その高温になった空気により回転除湿ロータ１０に吸着された異臭物質を活性化して放出（離脱）させ、異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１１１】
また、この回転除湿ロータ１０のクリーニングでは、切換ダンパ７０が換気位置にされ、吸引ファン２０が低速（小）で回転されているので、浴室内から吸引された空気が排気風路１００に送り込まれ、その空気により回転除湿ロータ１０から高濃度で放出される。これによって、クリーニング開始初期、再生風路２００内に多く蓄積されている異臭物質が大量に浴室内に戻ってくることを防止している。
【０１１２】
また、この回転除湿ロータ１０のクリーニングでは、切換ダンパ７０が換気位置にされ吸引ファン２０が低速（小）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。
【０１１３】
そして、回転除湿ロータ１０のクリーニングが進むにつれ、換気位置の切換ダンパ７０が３／４開状態になり、さらに１／２開状態になる。これは、回転除湿ロータ１０のクリーニングが進むと、回転除湿ロータ１０に付着している異臭物質が放出され、循環風路９００に流れ込む空気を増やしても異臭の心配がほとんどないからである。これにより、回転除湿ロータ１０のクリーニングを行いながら、室内の暖房も行うことができる。また、切換ダンパ７０を半開状態にしているので、循環風路９００内の空気の一部が循環風路９００から排気風路１００に流れるとともに、循環風路９００内の残りの空気は循環風路９００から浴室内に排出され、異臭物質交じりの空気は確実に排出されている。
【０１１４】
次に、本件発明の特徴部分である、暖房ヒータ３０を用いて吸入される空気を高温にしている内容を図１５の第３実施形態に関して説明を加える。図１４に示すように、乾燥機本体５０１の表面側に可動ルーバ５０５が設けられ、クリーニングモードの実行中では可動ルーバ５０５を、循環吹出口７５４から吹き出される空気が吸引ファン吸込口７５６及び再生ファン吸込口７５７に導かれる方向に偏向させている。これにより、循環吹出口７５４から吹き出された空気が、再び循環風路９００または再生風路２００に流れる、いわゆるショートサーキットを生じさせている。これは、暖房ヒータ３０により加熱され循環吹出口７５４から吹き出された空気を循環風路９００もしくは再生風路２００に導くことで、暖房ヒータ３０により加熱され高温になった空気の一部が循環風路９００内の回転除湿ロータ１０に高温を維持した状態で確実に吹き付けられ、また暖房ヒータ３０により加熱されさらに再生ヒータ４０で加熱された空気が再生風路２００内の回転除湿ロータ１０に一層高温化された状態で確実に吹き付けられることから、循環風路９００および再生風路２００に亘る広い範囲で、回転除湿ロータ１０に吸着された異臭物質を活性化して速やかに放出（離脱）させることができる。よって、より短時間で確実に回転除湿ロータ１０のクリーニングを完了させることができる。なお、循環風路９００内に、暖房ヒータ３０により加熱された空気を再導入して回転除湿ロータ１０に吹付ける目的としては、回転除湿ロータ１０が浴室内の空気によって冷やされてしまうことを防止する意味もあり、この再導入した高温の空気によって回転除湿ロータ１０の温度降下を抑制し、高温の状態で再生風路２００内に回転除湿ロータ１０が入ってくるようにすることで、再生ヒータ４０による回転除湿ロータ１０の加熱で効率よく高温にできるようにしていることも大きな目的の一つである。
ここで、吸引ファン２０の回転を低速（小）にしているのは、循環吹出口７５４から吹出される空気をより吸引ファン吸込口７５６もしくは再生ファン吸込口７５７に導きやすくさせるためである。つまり、クリーニングモード実行中の吸引ファン２０の回転数（低速「小」）を、除湿モード実行中の吸引ファン２０の回転数（高速「大」）と同等の回転数で行えば、循環吹出口７５４から吹出される空気の勢いが強くなり、それらの空気を吸引ファン２０もしくは再生ファン５０により吸引することが難しくなる。しかし本実施形態のように、クリーニングモード実行中の吸引ファン２０の回転を低速に設定することにより、循環吹出口７５４から吹出される空気が循環吹出口７５４付近に滞留させ、その空気を吸引ファン２０もしくは再生ファン５０により吸引しやすくすることができる。
【０１１５】
また、切換ダンパ７０を１／２開状態から閉じていないのは、切換ダンパ７０を閉じすぎると排気風路１００に流れる空気が少なくなり、再生風路２００内の空気の温度が排気風路１００内の空気により低下させることができなくなるからである。そして、回転除湿ロータ１０のクリーニングが終了（図９のＳ８で「Ｙ」）すると、「暖房」モードの休止が解除され、「暖房」モードが再開される（図９のＳ１１）。なお、「暖房」モードについては、上述したように図１０と同様であるので説明は省略する。    
【０１１６】
なお、図１５では、「暖房」モードの選択時にクリーニングを実行する場合について説明したが、その他の運転モードの選択時に行われるクリーニングも高速クリーニング時間（ＴＢ）行われ、図１５で説明したクリーニングと同様のクリーニングが行われる。
【０１１７】
次に、図１６を用いて、運転モードの終了時に行われるクリーニングモードについて説明する。図１６は、本発明の第３実施形態における浴室乾燥機の運転モード終了時に行われるクリーニングモードのタイムチャートを示す図である。なお、図１６では、運転モードの一例として、「換気」モードが選択された場合に行われるクリーニングモードについて示しているが、他の運転モードについても同様のクリーニングモードが行われる。ここで、図９（Ｓ１８参照）を用いて説明したように、運転モード終了時に行われる回転除湿ロータ１０のクリーニング時間は、集中クリーニング時間（ＴＣ）である。なお、図１６に示す「換気」モードについては、図１１と同様であるので、ここでは「クリーニング」モードについてのみ説明する。
【０１１８】
図１６に示すように、「換気」モードが終了すると「クリーニング」モードが行われる。
このクリーニングモードでは、再生ファン５０が「ＯＮ」にされ、再生風路２００内の空気を排出する方向に流れるようにして、再生ヒータ４０を「高」として回転除湿ロータ１０に向かう空気の温度を高温としている。これにより、後述するように、暖房ヒータ３０により加熱された空気が再生風路２００内の再生ヒータ４０でさらに加熱され、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１１９】
また、この回転除湿ロータ１０のクリーニングでは、切換ダンパ７０が１／２開状態にされ、吸引ファン２０が低速（小）で回転しているが、これによっても浴室内から吸引された空気が排気風路１００に送り込まれ、その空気により回転除湿ロータ１０から高濃度で放出される再生風路２００内の異臭物質が浴室内に戻ってくることを防止することができる。
【０１２０】
また、この回転除湿ロータ１０のクリーニングでは、切換ダンパ７０が１／２開状態にされ吸引ファン２０が低速（小）で回転されているので、浴室内から吸引された空気が排気風路１００に送り込まれ、この送り込まれた空気と再生風路２００内の高温の空気とが混合して、その温度を低下させることができる。これにより、再生ヒータ４０で加熱された高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、除去することができる。
【０１２１】
また、乾燥機本体５０１の表面側に可動ルーバ５０５が設けられ、図１４に示すようにクリーニングモードの実行中では可動ルーバ５０５を、循環吹出口７５４から吹き出される空気が吸引ファン吸込口７５６及び再生ファン吸込口７５７に導かれる方向に偏向させている。これにより、循環吹出口７５４から吹き出された空気が、再び循環風路９００または再生風路２００に流れる、いわゆるショートサーキットを生じさせている。これは、暖房ヒータ３０により加熱され循環吹出口７５４から吹き出された空気を循環風路９００もしくは再生風路２００に導くことで、暖房ヒータ３０により加熱され高温になった空気の一部が循環風路９００内の回転除湿ロータ１０に高温を維持した状態で確実に吹き付けられ、また暖房ヒータ３０により加熱されさらに再生ヒータ４０で加熱された空気が再生風路２００内の回転除湿ロータ１０に一層高温化された状態で確実に吹き付けられることから、循環風路９００および再生風路２００に亘る広い範囲で、回転除湿ロータ１０に吸着された異臭物質を活性化して速やかに放出（離脱）させることができる。よって、より短時間で確実に回転除湿ロータ１０のクリーニングを完了させることができる。なお、「除湿」モードにおいては、「除湿」モード時は再生ヒータ４０を「低」にしているので発熱量が小さく、再生風路２００内の空気の温度もさほど高くならないので、特に、再生風路２００内で排気風路１００内の温度の低い空気と混合されなくても、この熱によって排気管（図示略）等が熱損傷を起こす恐れはない。
【０１２２】
そして、回転除湿ロータ１０のクリーニングが終了（図９のＳ８で「Ｙ」）すると、浴室乾燥機１の運転が終了する。なお、図１６では、「換気」モードの終了時にクリーニングを実行する場合について説明したが、その他の運転モードの終了時に行われるクリーニングも集中クリーニング時間（ＴＣ）行われ、図１６で説明したクリーニングと同様のクリーニングが行われる。
【０１２３】
（第４実施形態）
次に、本発明の第４実施形態の浴室乾燥機が行うクリーニングモードについて説明する。図１７は、本発明の第４実施形態の浴室乾燥機により行われるクリーニングモードの説明図である。ここで、第３実施形態の浴室乾燥機１と第４実施形態の浴室乾燥機の異なるところは、第４実施形態の浴室乾燥機１では、乾燥機本体５０１の表面側にカバーとして表面グリル５０９が備えられ、その表面グリル５０９に可動ルーバ５０５が設けられているところである。そして、可動ルーバ５０５で循環吹出口７５４を覆うように配置することにより、この乾燥機本体１と表面グリル５０９の間に、循環風路９００から排出された空気を吸引ファン吸込口７５６もしくは再生ファン吸込口７５７に導く連結風路８１１が形成されるよう構成している。なお、クリーニングモードが行われるタイミングは、図９を用いて説明した内容と同様であるので説明は省略する。
【０１２４】
次に、図１８を用いて、運転モードの選択時に行われるクリーニングモードについて説明する。図１８は、本発明の第４実施形態における浴室乾燥機の運転モード選択時に行われるクリーニングモードのタイムチャートを示す図である。なお、図１８では、運転モードの一例として、「暖房」モードが選択された場合に行われるクリーニングモードについて示しているが、他の運転モードについても同様のクリーニングモードが行われる。ここで、図９（Ｓ６参照）を用いて説明したように、運転モード選択時に行われる回転除湿ロータ１０のクリーニング時間は、高速クリーニング時間（ＴＢ）である。なお、図１８に示す「暖房」モードについては、図１０と同様であるので、ここでクリーニングモードについてのみ説明する。
【０１２５】
図１８に示すように、「暖房」モード（運転モード）のスイッチが投入されると、回転除湿ロータ１０のクリーニング（図９のＳ７）が実行される。この回転除湿ロータ１０のクリーニングでは、再生ファン５０が「ＯＮ」にされ、再生風路２００内の空気を排出する方向に流れるようにして、再生ヒータ４０を「低」として回転除湿ロータ１０に向かう空気の加熱している。これにより、後述するように、暖房ヒータ３０により加熱された空気が再生風路２００内の再生ヒータ４０でさらに加熱され、回転除湿ロータ１０に向かう空気が高温となり、その高温になった空気により回転除湿ロータ１０に吸着された異臭物質を活性化させ放出（離脱）させ、異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１２６】
また、この回転除湿ロータ１０のクリーニングでは、切換ダンパ７０が換気位置にされ、吸引ファン２０が高速（大）で回転されているので、浴室内から吸引された空気が排気風路１００に送り込まれ、その空気により回転除湿ロータ１０から高濃度で放出される。これによって、クリーニング開始初期、再生風路２００内に多く蓄積されている異臭物質が大量に浴室内に戻ってくることを防止している。
【０１２７】
また、この回転除湿ロータ１０のクリーニングでは、切換ダンパ７０が換気位置にされ吸引ファン２０が高速（大）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。
【０１２８】
そして、回転除湿ロータ１０のクリーニングが進むにつれ、換気位置の切換ダンパ７０が３／４開状態になり、さらに１／２開状態になる。これは、回転除湿ロータ１０のクリーニングが進むと、回転除湿ロータ１０に付着している異臭物質が放出され、循環風路９００に流れ込む空気を増やしても異臭の心配がほとんどないからである。これにより、回転除湿ロータ１０のクリーニングを行いながら、室内の暖房も行うことができる。また、切換ダンパ７０を半開状態にしているので、循環風路９００内の空気の一部が排気風路１００に流れるとともに、残りの空気は連結風路８１１に排出される。
【０１２９】
また、乾燥機本体５０１の表面側に可動ルーバ５０５を備えた表面グリル５０９が設けられ、図１８に示すようにクリーニングモードの実行中では可動ルーバ５０５が循環吹出口７５４を覆うように配置されているので、循環風路９００から排出された空気が、乾燥機本体１と表面グリル５０９の間に形成された連結風路８１１を介し、吸引ファン吸込口７５６もしくは再生ファン吸込口７５７に流れる。暖房ヒータ３０により加熱され循環吹出口７５４から吹き出された空気を循環風路９００もしくは再生風路２００に導きやすくすることができ、暖房ヒータ３０により加熱され高温になった空気の一部が循環風路９００内の回転除湿ロータ１０に高温を維持した状態で確実に吹き付けられ、また暖房ヒータ３０により加熱されさらに再生ヒータ４０で加熱された空気が再生風路２００内の回転除湿ロータ１０に一層高温化された状態で確実に吹き付けられることから、循環風路９００および再生風路２００に亘る広い範囲で、回転除湿ロータ１０に吸着された異臭物質を活性化してさせ速やかに放出（離脱）させることができる。よって、より短時間で確実に回転除湿ロータ１０のクリーニングを完了させることができる。
【０１３０】
また、切換ダンパ７０を１／２開状態から閉じていないのは、切換ダンパ７０を閉じすぎると排気風路１００に流れる空気が少なくなり、再生風路２００内の空気の温度が排気風路１００内の空気により低下させることができなくなるからである。
【０１３１】
そして、回転除湿ロータ１０のクリーニングが終了（図９のＳ８で「Ｙ」）すると、「暖房」モードの休止が解除され、「暖房」モードが再開される（図９のＳ１１）。なお、「暖房」モードについては、上述したように図１０と同様であるので説明は省略する。  
【０１３２】
なお、図１８では、「暖房」モードの選択時にクリーニングを実行する場合について説明したが、その他の運転モードの選択時に行われるクリーニングも高速クリーニング時間（ＴＢ）行われ、図１８で説明したクリーニングと同様のクリーニングが行われる。
【０１３３】
次に、図１９を用いて、運転モードの終了時に行われるクリーニングモードについて説明する。図１９は、本発明の第４実施形態における浴室乾燥機の運転モード終了時に行われるクリーニングモードのタイムチャートを示す図である。なお、図１９では、運転モードの一例として、「換気」モードが選択された場合に行われるクリーニングモードについて示しているが、他の運転モードについても同様のクリーニングモードが行われる。ここで、図９（Ｓ１８参照）を用いて説明したように、運転モード終了時に行われる回転除湿ロータ１０のクリーニング時間は、集中クリーニング時間（ＴＣ）である。なお、図１９に示す「換気」モードについては、図１１と同様であるので、ここでは「クリーニング」モードについてのみ説明する。
【０１３４】
図１９に示すように、「換気」モードが終了すると「クリーニング」モードが行われる。
このクリーニングモードでは、再生ファン５０が「ＯＮ」にされ、再生風路２００内の空気を排出する方向に流れるようにして、再生ヒータ４０を「高」として回転除湿ロータ１０に向かう空気の温度を高温としている。これにより、後述するように、暖房ヒータ３０により加熱された空気が再生風路２００内の再生ヒータ４０でさらに加熱され、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１３５】
また、この回転除湿ロータ１０のクリーニングでは、切換ダンパ７０が換気位置にされ、吸引ファン２０が低速（小）で回転しているが、これによっても浴室内から吸引された空気が排気風路１００に送り込まれ、その空気により回転除湿ロータ１０から高濃度で放出される再生風路２００内の異臭物質が浴室内に戻ってくることを防止することができる。
【０１３６】
また、この回転除湿ロータ１０のクリーニングでは、切換ダンパ７０が１／２開状態にされ吸引ファン２０が低速（小）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。なお、「除湿」モードにおいては、「除湿」モード時は再生ヒータ４０を「低」にしているので発熱量が小さく、再生風路２００内の空気の温度もさほど高くならないので、特に、再生風路２００内で排気風路１００内の温度の低い空気と混合されなくても、この熱によって排気管（図示略）等が熱損傷を起こす恐れはない。
【０１３７】
また、乾燥機本体５０１の表面側に可動ルーバ５０５が備えられた表面グリル５０９が設けられ、図１７に示すようにクリーニングモードの実行中では可動ルーバ５０５が循環吹出口７５４を覆うように配置されているので、循環風路９００から排出された空気が、乾燥機本体１と表面グリル５０９の間に形成された連結風路８１１を介して、吸引ファン吸込口７５６もしくは再生ファン吸込口７５７に流れる。暖房ヒータ３０により加熱され循環吹出口７５４から吹き出された空気を循環風路９００もしくは再生風路２００に導きやすくすることができ、暖房ヒータ３０により加熱され高温になった空気の一部が循環風路９００内の回転除湿ロータ１０に高温を維持した状態で確実に吹き付けられ、また暖房ヒータ３０により加熱されさらに再生ヒータ４０で加熱された空気が再生風路２００内の回転除湿ロータ１０に一層高温化された状態で確実に吹き付けられることから、循環風路９００および再生風路２００に亘る広い範囲で、回転除湿ロータ１０に吸着された異臭物質を活性化してさせ速やかに放出（離脱）させることができる。よって、より短時間で確実に回転除湿ロータ１０のクリーニングを完了させることができる。
なお、本実施形態では、可動ルーバ５０５を表面グリル５０９に備える構成としたが、これに限らず、可動ルーバ５０５と表面グリル５０９を別体として設けてもよい。
【０１３８】
そして、回転除湿ロータ１０のクリーニングが終了（図９のＳ８で「Ｙ」）すると、浴室乾燥機１の運転が終了する。
【０１３９】
なお、図１９では、「換気」モードの終了時にクリーニングを実行する場合について説明したが、その他の運転モードの終了時に行われるクリーニングも集中クリーニング時間（ＴＣ）行われ、図１９で説明したクリーニングと同様のクリーニングが行われる。
【０１４０】
（第５実施形態）
次に、本発明の第５実施形態の浴室乾燥機が行うクリーニングモードについて説明する。図２０は、本発明の第５実施形態の浴室乾燥機により行われるクリーニングモードの説明図である。なお、第４実施形態の浴室乾燥機１と第５実施形態の浴室乾燥機の異なるところは、第４の実施形態では、循環吹出口７５４から排出された空気を吸引ファン吸込口７５６もしくは再生ファン吸込口７５７に導く（送り込む）連結風路８１１が乾燥機本体１と表面グリル５０９の間に形成されるのに対し、第５実施形態の浴室乾燥機１では、暖房ヒータ３０で加熱された循環風路９００内の空気を、吸引ファン吸込口７５６もしくは再生ファン吸込口７５７に導く（送り込む）循環再生連結風路８１が設けられ、循環風路９００と循環再生風路８１の分岐点に循環風路９００から循環再生連結風路８１に導く空気量を調整する循環再生風路ダンパ８２が設けられている点で異なる。循環再生風路８１には、吸引ファン吸込口７５６に空気を供給する循環風路口８３が形成されている。なお、クリーニングモードが行われるタイミングは、図９を用いて説明した内容と同様であるので説明は省略する。
【０１４１】
次に、図２1を用いて、運転モードの選択時に行われるクリーニングモードについて説明する。図２１は、本発明の第５実施形態における浴室乾燥機の運転モード選択時に行われるクリーニングモードのタイムチャートを示す図である。なお、図２１では、運転モードの一例として、「暖房」モードが選択された場合に行われるクリーニングモードについて示しているが、他の運転モードについても同様のクリーニングモードが行われる。ここで、図９（Ｓ６参照）を用いて説明したように、運転モード選択時に行われる回転除湿ロータ１０のクリーニング時間は、高速クリーニング時間（ＴＢ）である。なお、図２１に示す「暖房」モードについては、図１０と同様であるので、ここでクリーニングモードについてのみ説明する。
【０１４２】
図２１に示すように、「暖房」モード（運転モード）のスイッチが投入されると、まずは、暖房モードに先駆けて回転除湿ロータ１０のクリーニング（図９のＳ７）が実行される。この回転除湿ロータ１０のクリーニングでは、再生ファン５０が「ＯＮ」にされ、再生風路２００内の空気を排出する方向に流れるようにして、再生ヒータ４０を「高」として回転除湿ロータ１０に向かう空気を加熱している。これにより、後述するように、暖房ヒータ３０により加熱された空気が再生風路２００内の再生ヒータ４０でさらに加熱され、回転除湿ロータ１０に向かう空気が高温となり、その高温になった空気により回転除湿ロータ１０に吸着された異臭物質を活性化させ放出（離脱）させ、異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１４３】
また、この回転除湿ロータ１０のクリーニングでは、切換ダンパ７０が換気位置にされ、吸引ファン２０が高速（大）で回転されているので、浴室内から吸引された空気が排気風路１００に送り込まれ、その空気により回転除湿ロータ１０から高濃度で放出される。これによって、クリーニング開始初期、再生風路２００内に多く蓄積されている異臭物質が大量に浴室内に戻ってくることを防止している。
【０１４４】
また、この回転除湿ロータ１０のクリーニングでは、切換ダンパ７０が換気位置にされ吸引ファン２０が高速（大）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、除去することができる。
【０１４５】
そして、回転除湿ロータ１０のクリーニングが進むにつれ、換気位置の切換ダンパ７０が３／４開状態になり、さらに１／２開状態になる。これは、回転除湿ロータ１０のクリーニングが進むと、回転除湿ロータ１０に付着している異臭物質が放出され、循環風路９００に流れ込む空気を増やしても異臭の心配がほとんどないからである。これにより、回転除湿ロータ１０のクリーニングを行いながら、室内の暖房も行うことができる。また、切換ダンパ７０を半開状態にしているので、吸引ファン２０が吹出す空気の一部が排気風路１００に流れるとともに、残りの空気は循環風路９００に流れる。さらに、循環風路９００内で暖房ヒータ３０で加熱された空気の一部が、循環再生連結風路８１内に流れ込む。
【０１４６】
また、図２０に示すように、クリーニングモードの実行中では循環風路９００と循環再生風路８１の分岐点に設けられた循環再生風路ダンパ８２が全開状態（循環風路９００内の空気の一部を循環再生連結風路８１に流す状態）にある。したがって、暖房ヒータ３０により加熱され、循環再生連結風路８１に流入した空気の一部を循環風路口８３から吸引ファン吸込口７５６に導き、残りを再生ファン吸込口７５７に導くことができる。これにより、暖房ヒータ３０により加熱され高温になった空気の一部が循環風路９００内の回転除湿ロータ１０に高温を維持した状態で確実に吹き付けられ、また暖房ヒータ３０により加熱されさらに再生ヒータ４０で加熱された空気が再生風路２００内の回転除湿ロータ１０に一層高温化された状態で確実に吹き付けられることから、循環風路９００および再生風路２００に亘る広い範囲で、回転除湿ロータ１０に吸着された異臭物質を活性化してさせ速やかに放出（離脱）させることができる。よって、より短時間で確実に回転除湿ロータ１０のクリーニングを完了させることができる。
【０１４７】
また、切換ダンパ７０を１／２開状態から閉じていないのは、切換ダンパ７０を閉じすぎると排気風路１００に流れる空気が少なくなり、再生風路２００内の空気の温度が排気風路１００内の空気により低下させることができなくなるからである。
【０１４８】
そして、回転除湿ロータ１０のクリーニングが終了（図９のＳ８で「Ｙ」）すると、「暖房」モードの休止が解除され、「暖房」モードが再開される（図９のＳ１１）。なお、「暖房」モードについては、上述したように図１０と同様であるので説明は省略する。  
【０１４９】
なお、図２１では、「暖房」モードの選択時にクリーニングを実行する場合について説明したが、その他の運転モードの選択時に行われるクリーニングも高速クリーニング時間（ＴＢ）行われ、図２１で説明したクリーニングと同様のクリーニングが行われる。
【０１５０】
次に、図２２を用いて、運転モードの終了時に行われるクリーニングモードについて説明する。図２２は、本発明の第５実施形態における浴室乾燥機の運転モード終了時に行われるクリーニングモードのタイムチャートを示す図である。なお、図２２では、運転モードの一例として、「換気」モードが選択された場合に行われるクリーニングモードについて示しているが、他の運転モードについても同様のクリーニングモードが行われる。ここで、図９（Ｓ１８参照）を用いて説明したように、運転モード終了時に行われる回転除湿ロータ１０のクリーニング時間は、集中クリーニング時間（ＴＣ）である。なお、図２２に示す「換気」モードについては、図１１と同様であるので、ここでは「クリーニング」モードについてのみ説明する。
【０１５１】
図２２に示すように、「換気」モードが終了すると「クリーニング」モードが行われる。
このクリーニングモードでは、再生ファン５０が「ＯＮ」にされ、再生風路２００内の空気を排出する方向に流れるようにして、再生ヒータ４０を「高」として回転除湿ロータ１０に向かう空気の温度を高温としている。これにより、後述するように、暖房ヒータ３０により加熱された空気が再生風路２００内の再生ヒータ４０でさらに加熱され、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１５２】
また、この回転除湿ロータ１０のクリーニングでは、切換ダンパ７０が換気位置にされ、吸引ファン２０が低速（小）で回転しているが、これによっても浴室内から吸引された空気が排気風路１００に送り込まれ、その空気により回転除湿ロータ１０から高濃度で放出される再生風路２００内の異臭物質が浴室内に戻ってくることを防止することができる。
【０１５３】
また、この回転除湿ロータ１０のクリーニングでは、切換ダンパ７０が１／２開状態にされ吸引ファン２０が低速（小）で回転されているので、浴室内から吸引された空気が排気風路１００に送り込まれ、この送り込まれた空気と再生風路２００内の高温の空気とが混合して、その温度を低下させることができる。これにより、再生ヒータ４０で加熱された高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。なお、「除湿」モードにおいては、「除湿」モード時は再生ヒータ４０を「低」にしているので発熱量が小さく、再生風路２００内の空気の温度もさほど高くならないので、特に、再生風路２００内で排気風路１００内の温度の低い空気と混合されなくても、この熱によって排気管（図示略）等が熱損傷を起こす恐れはない。
【０１５４】
また、循環風路９００内の空気を再生風路２００に導く循環再生連結風路８１が設けられ、図２２に示すようにクリーニングモードの実行中ではその循環風路９００と循環再生風路８１の分岐点（循環吹出口７５４）に設けられた循環再生風路ダンパ８２が全開状態（循環風路９００内の空気を循環再生連結風路８１に流れやすくする状態）にあるので、
暖房ヒータ３０により加熱され循環吹出口７５４から吹き出された空気を循環風路９００もしくは再生風路２００に導きやすくすることができる。これにより、循環吹出口７５４から吹き出された空気が、再び循環風路９００または再生風路２００に流れる、いわゆるショートサーキットを生じさせている。これは、暖房ヒータ３０により加熱され循環吹出口７５４から吹き出された空気を循環風路９００もしくは再生風路２００に導くことで、暖房ヒータ３０により加熱され高温になった空気の一部が循環風路９００内の回転除湿ロータ１０に高温を維持した状態で確実に吹き付けられ、また暖房ヒータ３０により加熱されさらに再生ヒータ４０で加熱された空気が再生風路２００内の回転除湿ロータ１０に一層高温化された状態で確実に吹き付けられることから、循環風路９００および再生風路２００に亘る広い範囲で、回転除湿ロータ１０に吸着された異臭物質を活性化して速やかに放出（離脱）させることができる。よって、より短時間で確実に回転除湿ロータ１０のクリーニングを完了させることができる。
【０１５５】
そして、回転除湿ロータ１０のクリーニングが終了（図９のＳ８で「Ｙ」）すると、浴室乾燥機１の運転が終了する。
【０１５６】
なお、図２２では、「換気」モードの終了時にクリーニングを実行する場合について説明したが、その他の運転モードの終了時に行われるクリーニングも集中クリーニング時間（ＴＣ）行われ、図２２で説明したクリーニングと同様のクリーニングが行われる。
【０１５７】
（第６実施形態）
次に、本発明の第６実施形態の浴室乾燥機が行うクリーニングモードについて説明する。図２３は、本発明の第６実施形態の浴室乾燥機により行われるクリーニングモードの説明図である。なお、第１実施形態の浴室乾燥機１と第６実施形態の浴室乾燥機の異なるところは、第６実施形態の浴室乾燥機１では、再生ヒータ４０および回転除湿ロータ１０の下流で、かつ再生ファン５０より上流で再生風路２００と連結するバイパス風路８４が設けられているところである。このバイパス風路８４を介し浴室４００内の空気を再生風路２００に送り込むことができる。なお、クリーニングモードが行われるタイミングは、図９を用いて説明した内容と同様であるので説明は省略する。  
【０１５８】
次に、図２４を用いて、運転モードの選択時に行われるクリーニングモードについて説明する。なお、図２４では、運転モードの一例として、「暖房」モードが選択された場合に行われるクリーニングモードについて示しているが、他の運転モードについても同様のクリーニングモードが行われる。ここで、図９（Ｓ６参照）を用いて説明したように、運転モード選択時に行われる回転除湿ロータ１０のクリーニング時間は、高速クリーニング時間（ＴＢ）である。なお、図２４に示す「暖房」モードについては、上述した図１０と同様であるので、ここでクリーニングモードについてのみ説明する。
【０１５９】
図２４に示すように、「暖房」モード（運転モード）のスイッチが投入されると、回転除湿ロータ１０のクリーニング（図９のＳ７）が実行される。この回転除湿ロータ１０のクリーニングでは、再生ファン５０が「ＯＮ」にされ、再生風路２００の入口およびバイパス風路８４から再生風路２００内の空気を排出する方向に流れるようにして、再生ヒータ４０および補助ヒータ４０００を「ＯＮ」として回転除湿ロータ１０に向かう空気の温度を高温としている。その高温になった空気により回転除湿ロータ１０に吸着された異臭物質を活性化させ、放出（離脱）させることができる。なお、クリーニングモードでは、回転除湿ロータ１０が「ＯＮ」となり回転しているので、回転除湿ロータ１０に吸着された異臭物質を満遍なく放出させることができる。
【０１６０】
また、この回転除湿ロータ１０のクリーニングでは、切換ダンパ７０が全閉状態（排気風路１００の入口を完全に遮断し、吸引ファン２０の左側の空間に出た空気の全てが循環風路下流部９００Ｂに流れる状態）にされているが、吸引ファン２０が「ＯＦＦ」にされているので、浴室内の空気が循環風路９００に送り込まれない。
【０１６１】
また、本実施形態では、再生ヒータ４０および回転除湿ロータ１０の下流側で再生風路２００と連結するバイパス風路８４が設けられているので、このバイパス風路８４を介し浴室４００内の低温の空気が再生風路２００に送り込まれ、この送り込まれた低温の空気と再生風路２００内の高温の空気とが混合して、その温度を低下させることができる。これにより、高温の空気を回転除湿ロータ１０に吹きつけても、その高温の空気の温度が再生風路２００内でバイパス風路８４内の温度の低い空気と混合され、再生風路２００内の空気の温度を低下させ再生風路２００と連結する排気管（図示略）の熱損傷を防止することができる。また、再生ファン５０は混合後の温度が低下した空気と接触するため、再生ファン５０の熱損傷も防止することもできる。このように、再生風路２００と連結する排気管（図示略）と再生ファン５０の熱損傷を防止できるので、回転除湿ロータ１０にさらに高温の空気を吹き付けることができ、短時間で回転除湿ロータ１０に付着している異臭物質を放出させ、短時間で回転除湿ロータ１０に吸着された異臭物質を除去することができる。
【０１６２】
なお、本実施形態では、吸引ファン２０を「ＯＦＦ」にしているが、これに限らず、吸引ファン２０を高速（大）で回転させてもよい。これにより、浴室内から吸引された空気が排気風路１００に送り込まれ、その空気により回転除湿ロータ１０から高濃度で放出される再生風路２００内の異臭物質が浴室内に戻ってくることを防止することができる。
【０１６３】
また、浴室内から吸引された空気が排気風路１００に送り込まれ、この送り込まれた空気と再生風路２００内の高温の空気とが混合して、その温度を低下させることができるので、さらに高温の空気を回転除湿ロータ１０に吹きつけても、その高温の空気の温度がバイパス風路８４を介し送り込まれた温度の低い空気及び排気風路１００を介し送り込まれた温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。
【０１６４】
そして、回転除湿ロータ１０のクリーニングが終了（図９のＳ８で「Ｙ」）すると、「暖房」モードの休止が解除され、「暖房」モードが再開される（図９のＳ１１）。なお、「暖房」モードについては、上述したように図１０と同様であるので説明は省略する。  
【０１６５】
なお、図２４では、「暖房」モードの選択時にクリーニングを実行する場合について説明したが、その他の運転モードの選択時に行われるクリーニングも高速クリーニング時間（ＴＢ）行われ、図２４で説明したクリーニングと同様のクリーニングが行われる。
【０１６６】
次に、図２５を用いて、運転モードの終了時に行われるクリーニングモードについて説明する。なお、図２５では、運転モードの一例として、「換気」モードが選択された場合に行われるクリーニングモードについて示しているが、他の運転モードについても同様のクリーニングモードが行われる。ここで、図９（Ｓ１８参照）を用いて説明したように、運転モード終了時に行われる回転除湿ロータ１０のクリーニング時間は、集中クリーニング時間（ＴＣ）である。なお、「換気」モードについては、上述した図１１の説明と同様であるので、ここでは「クリーニング」モードについてのみ説明する。
【０１６７】
図２５に示すように、「換気」モードが終了すると「クリーニング」モードが行われる。
このクリーニングモードでは、再生ファン５０が「ＯＮ」にされ、再生風路２００の入口およびバイパス風路８４から空気を排出する方向に流れるようにして、再生ヒータ４０および補助ヒータ４０００を「ＯＮ」として回転除湿ロータ１０に向かう空気の温度を高温としている。これにより、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１６８】
また、この回転除湿ロータ１０のクリーニングでは、切換ダンパ７０が全閉状態（排気風路１００の入口を完全に遮断し、吸引ファン２０の左側の空間に出た空気の全てが循環風路下流部９００Ｂに流れる状態）にされているが、吸引ファン２０が「ＯＦＦ」にされているので、浴室内の空気が循環風路９００に送り込まれない。
【０１６９】
また、再生ヒータ４０および回転除湿ロータ１０の下流側で再生風路２００と連結するバイパス風路８４が設けられているので、このバイパス風路８４を介し浴室４００内の空気が再生風路２００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内でバイパス風路８４内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。
【０１７０】
なお、本実施形態では、吸引ファン２０を「ＯＦＦ」にしているが、これに限らず、吸引ファン２０を低速（小）で回転させてもよい。これにより、浴室内から吸引された空気が排気風路１００に送り込まれ、その空気により回転除湿ロータ１０から高濃度で放出される再生風路２００内の異臭物質が浴室内に戻ってくることを防止することができる。
【０１７１】
そして、回転除湿ロータ１０のクリーニングが終了（図９のＳ８で「Ｙ」）すると、浴室乾燥機１の運転が終了する。
【０１７２】
なお、図２５では、「換気」モードの終了時にクリーニングを実行する場合について説明したが、その他の運転モードの終了時に行われるクリーニングも集中クリーニング時間（ＴＣ）行われ、図２５で説明したクリーニングと同様のクリーニングが行われる。
【０１７３】
なお、本実施形態では、図２３に示すように、第１実施形態における浴室乾燥機１（図８等参照）にバイパス風路８４を設けた構成としたが、これに限らず、第２実施形態〜第５実施形態における浴室乾燥機１（図１２、図１４、図１７、図２０参照）にバイパス風路８４を設けた構成としてもよい。この場合も本実施形態と同様の効果を奏する。
【０１７４】
（第７実施形態）
次に、本発明の第７実施形態の浴室乾燥機が行うクリーニングモードについて説明する。図２６は、本発明の第７実施形態の浴室乾燥機により行われるクリーニングモードの説明図である。なお、第６実施形態の浴室乾燥機１と第７実施形態の浴室乾燥機の異なるところは、第６実施形態の浴室乾燥機１ではバイパス風路８４が設けられていたが、第７実施形態ではバイパス風路８４が設けられずに、循環風路９００から再生風路２００に亘る熱交換用金属８５が設けられたところである。なお、クリーニングモードが行われるタイミングは、図９を用いて説明した内容と同様であるので説明は省略する。また、「暖房」モードの選択時にクリーニングを実行する場合のタイムチャートおよび「換気」モードの終了時にクリーニングを実行する場合のタイムチャートについては、図１０および図１１と同様であるので、該図面を参照して説明する。
【０１７５】
次に、図１０を用いて、運転モードの選択時に行われるクリーニングモードについて説明する。なお、図１０は、運転モードの一例として、「暖房」モードが選択された場合に行われるクリーニングモードについて示しているが、他の運転モードについても同様のクリーニングモードが行われる。ここで、図９（Ｓ６参照）を用いて説明したように、運転モード選択時に行われる回転除湿ロータ１０のクリーニング時間は、高速クリーニング時間（ＴＢ）である。なお、本実施形態の「暖房」モードについては、上述した図１０と同様であるので、ここでクリーニングモードについてのみ説明する。
【０１７６】
図１０に示すように、「暖房」モード（運転モード）のスイッチが投入されると、回転除湿ロータ１０のクリーニング（図９のＳ７）が実行される。この回転除湿ロータ１０のクリーニングでは、再生ファン５０が「ＯＮ」にされ、再生風路２００の入口から再生風路２００内の空気を排出する方向に流れるようにして、再生ヒータ４０および補助ヒータ４０００を「ＯＮ」として回転除湿ロータ１０に向かう空気の温度を高温としている。これにより、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１７７】
また、この回転除湿ロータ１０のクリーニングでは、切換ダンパ７０が換気位置にされ、吸引ファン２０が高速（大）で回転されているので、浴室内から吸引された空気が排気風路１００に送り込まれ、その空気により回転除湿ロータ１０から高濃度で放出される再生風路２００内の異臭物質が浴室内に戻ってくることを防止している。
【０１７８】
また、この回転除湿ロータ１０のクリーニングでは、切換ダンパ７０が換気位置にされ吸引ファン２０が高速（大）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。
【０１７９】
また、循環風路９００から再生風路２００に亘って熱交換用金属８５が設けられているので、循環風路９００内の温度が低い空気により循環風路９００内の熱交換用金属８５が冷やされ、その冷やされた熱交換用金属８５により再生風路２００内の空気が熱交換され、その再生風路２００内の空気の温度を低下させることができる。これにより、高温の空気を回転除湿ロータ１０に吹きつけても、その高温の空気の温度が熱交換用金属８５により熱交換され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、除去することができる。
【０１８０】
なお、本実施形態では、切換ダンパ７０を換気位置にし、排気風路１００から再生風路２００内に空気を送り込んでいるが、これに限らず、切換ダンパ７０を全閉状態（排気風路１００の入口を完全に遮断し、吸引ファン２０の左側の空間に出た空気の全てが循環風路下流部９００Ｂに流れる状態）にして、浴室内の空気から吸い込まれた循環風路９００の温度の低い空気により熱交換用金属８５を冷やし、その冷やされた熱交換用金属８５により再生風路２００内の空気の温度を低下させるようにしてもよい。
【０１８１】
そして、回転除湿ロータ１０のクリーニングが終了（図９のＳ８で「Ｙ」）すると、「暖房」モードの休止が解除され、「暖房」モードが再開される（図９のＳ１１）。なお、「暖房」モードについては、上述したように図１０と同様であるので説明は省略する。  
【０１８２】
なお、図１０では、「暖房」モードの選択時にクリーニングを実行する場合について説明したが、その他の運転モードの選択時に行われるクリーニングも高速クリーニング時間（ＴＢ）行われ、図１０で説明したクリーニングと同様のクリーニングが行われる。
【０１８３】
次に、図１１を用いて、運転モードの終了時に行われるクリーニングモードについて説明する。なお、図１1では、運転モードの一例として、「換気」モードが選択された場合に行われるクリーニングモードについて示しているが、他の運転モードについても同様のクリーニングモードが行われる。ここで、図９（Ｓ１８参照）を用いて説明したように、運転モード終了時に行われる回転除湿ロータ１０のクリーニング時間は、集中クリーニング時間（ＴＣ）である。なお、「換気」モードについては、上述した図１１の説明と同様であるので、ここでは「クリーニング」モードについてのみ説明する。
【０１８４】
図１１に示すように、「換気」モードが終了すると「クリーニング」モードが行われる。
このクリーニングモードでは、再生ファン５０が「ＯＮ」にされ、再生風路２００の入口から空気を排出する方向に流れるようにして、再生ヒータ４０および補助ヒータ４０００を「ＯＮ」として回転除湿ロータ１０に向かう空気の温度を高温としている。これにより、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１８５】
また、この回転除湿ロータ１０のクリーニングでは、切換ダンパ７０が換気位置にされ、吸引ファン２０が低速（小）で回転しているが、これによっても浴室内から吸引された空気が排気風路１００に送り込まれ、その空気により回転除湿ロータ１０から高濃度で放出される再生風路２００内の異臭物質が浴室内に戻ってくることを防止することができる。
【０１８６】
また、この回転除湿ロータ１０のクリーニングでは、切換ダンパ７０が全開状態にされ吸引ファン２０が低速（小）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。
【０１８７】
また、循環風路９００から再生風路２００に亘って熱交換用金属８５が設けられているので、循環風路９００内の温度が低い空気により循環風路９００内の熱交換用金属８５が冷やされ、その冷やされた熱交換用金属８５により再生風路２００内の空気が熱交換され、その再生風路２００内の空気の温度を低下させることができる。これにより、高温の空気を回転除湿ロータ１０に吹きつけても、その高温の空気の温度が熱交換用金属８５により熱交換され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、除去することができる。
【０１８８】
なお、本実施形態では、切換ダンパ７０を換気位置にし、排気風路１００から再生風路２００内に空気を送り込んでいるが、これに限らず、切換ダンパ７０を全閉状態（排気風路１００の入口を完全に遮断し、吸引ファン２０の左側の空間に出た空気の全てが循環風路下流部９００Ｂに流れる状態）にして、浴室内の空気から吸い込まれた循環風路９００の温度の低い空気により熱交換用金属８５を冷やし、その冷やされた熱交換用金属８５により再生風路２００内の空気の温度を低下させるようにしてもよい。
【０１８９】
そして、回転除湿ロータ１０のクリーニングが終了（図９のＳ８で「Ｙ」）すると、浴室乾燥機１の運転が終了する。なお、図１１では、「換気」モードの終了時にクリーニングを実行する場合について説明したが、その他の運転モードの終了時に行われるクリーニングも集中クリーニング時間（ＴＣ）行われ、図１１で説明したクリーニングと同様のクリーニングが行われる。
【０１９０】
なお、本実施形態では、図２６に示すように、第１実施形態における浴室乾燥機１（図８等参照）に熱交換用金属８５を設けた構成としたが、これに限らず、第２実施形態〜第５実施形態における浴室乾燥機１（図１２、図１４、図１７、図２０参照）に熱交換用金属８５を設けた構成としてもよい。この場合も本実施形態と同様の効果を奏する。
【０１９１】
（第８実施形態）
次に、本発明の第８実施形態の浴室乾燥機が行うクリーニングモードについて説明する。図２７は、本発明の第８実施形態の浴室乾燥機により行われるクリーニングモードの説明図である。なお、第６実施形態の浴室乾燥機１と第８実施形態の浴室乾燥機の異なるところは、第６実施形態の浴室乾燥機１ではバイパス風路８４が設けられていたが、第８実施形態ではバイパス風路８４を設けずに、再生風路２００内に冷却手段８６が設けられたところである。なお、この冷却手段８６として、たとえば、配管の内部に冷媒が供給される熱交換器や、電気的に再生風路２００内の空気を冷却するものなどが用いられる。クリーニングモードが行われるタイミングは、図９を用いて説明した内容と同様であるので説明は省略する。また、「暖房」モードの選択時にクリーニングを実行する場合のタイムチャートおよび「換気」モードの終了時にクリーニングを実行する場合のタイムチャートについては、図１０および図１１と同様であるので、該図面を参照して説明する。
【０１９２】
次に、図１０を用いて、運転モードの選択時に行われるクリーニングモードについて説明する。なお、図１０は、運転モードの一例として、「暖房」モードが選択された場合に行われるクリーニングモードについて示しているが、他の運転モードについても同様のクリーニングモードが行われる。ここで、図９（Ｓ６参照）を用いて説明したように、運転モード選択時に行われる回転除湿ロータ１０のクリーニング時間は、高速クリーニング時間（ＴＢ）である。なお、本実施形態の「暖房」モードについては、上述した図１０と同様であるので、ここでクリーニングモードについてのみ説明する。
【０１９３】
図１０に示すように、「暖房」モード（運転モード）のスイッチが投入されると、回転除湿ロータ１０のクリーニング（図９のＳ７）が実行される。この回転除湿ロータ１０のクリーニングでは、再生ファン５０が「ＯＮ」にされ、再生風路２００の入口から再生風路２００内の空気を排出する方向に流れるようにして、再生ヒータ４０および補助ヒータ４０００を「ＯＮ」として回転除湿ロータ１０に向かう空気の温度を高温としている。これにより、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０１９４】
また、この回転除湿ロータ１０のクリーニングでは、切換ダンパ７０が換気位置にされ、吸引ファン２０が高速（大）で回転されているので、浴室内から吸引された空気が排気風路１００に送り込まれ、その空気により回転除湿ロータ１０から高濃度で放出される再生風路２００内の異臭物質が浴室内に戻ってくることを防止している。
【０１９５】
また、この回転除湿ロータ１０のクリーニングでは、切換ダンパ７０が換気位置にされ吸引ファン２０が高速（大）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、除去することができる。
【０１９６】
また、再生風路２００内には冷却手段８６が設けられているので、再生風路２００内の高温の空気をこの冷却手段８６により低下させることができる。これにより、高温の空気を回転除湿ロータ１０に吹きつけても、その高温の空気の温度が冷却手段８６により冷やされ、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。なお、本実施形態では、切換ダンパ７０を換気位置にし、排気風路１００から再生風路２００内に空気を送り込んでいるが、これに限らず、切換ダンパ７０を全閉状態にして、排気風路１００から再生風路２００に空気を送り込まず、冷却手段８６のみで、再生風路２００内の空気の温度を低下させるようにしてもよい。
【０１９７】
そして、回転除湿ロータ１０のクリーニングが進むにつれ、換気位置の切換ダンパ７０が３／４開状態になり、さらに１／２開状態になる。これは、回転除湿ロータ１０のクリーニングが進むと、回転除湿ロータ１０に付着している異臭物質が放出され、循環風路９００に流れ込む空気を増やしても異臭の心配がほとんどないからである。これにより、回転除湿ロータ１０のクリーニングを行いながら、室内の暖房も行うことができる。
【０１９８】
そして、回転除湿ロータ１０のクリーニングが終了（図９のＳ８で「Ｙ」）すると、「暖房」モードの休止が解除され、「暖房」モードが再開される（図９のＳ１１）。なお、「暖房」モードについては、上述したように図１０と同様であるので説明は省略する。  
【０１９９】
なお、図１０では、「暖房」モードの選択時にクリーニングを実行する場合について説明したが、その他の運転モードの選択時に行われるクリーニングも高速クリーニング時間（ＴＢ）行われ、図１０で説明したクリーニングと同様のクリーニングが行われる。
【０２００】
次に、図１１を用いて、運転モードの終了時に行われるクリーニングモードについて説明する。なお、図１1では、運転モードの一例として、「換気」モードが選択された場合に行われるクリーニングモードについて示しているが、他の運転モードについても同様のクリーニングモードが行われる。ここで、図９（Ｓ１８参照）を用いて説明したように、運転モード終了時に行われる回転除湿ロータ１０のクリーニング時間は、集中クリーニング時間（ＴＣ）である。なお、「換気」モードについては、上述した図１１の説明と同様であるので、ここでは「クリーニング」モードについてのみ説明する。
【０２０１】
図１１に示すように、「換気」モードが終了すると「クリーニング」モードが行われる。
このクリーニングモードでは、再生ファン５０が「ＯＮ」にされ、再生風路２００の入口から空気を排出する方向に流れるようにして、再生ヒータ４０および補助ヒータ４０００を「ＯＮ」として回転除湿ロータ１０に向かう空気の温度を高温としている。これにより、回転除湿ロータ１０に向かう空気が高温となり、その高温になった空気により回転除湿ロータ１０に吸着された異臭物質を活性化させ放出（離脱）させ、短時間で異臭物質を排出させることができる。なお、クリーニングモードでは、回転除湿ロータ１０が「ＯＮ」となり回転しているので、回転除湿ロータ１０に吸着された異臭物質を満遍なく放出させることができる。
【０２０２】
また、この回転除湿ロータ１０のクリーニングでは、切換ダンパ７０が換気位置にされ、吸引ファン２０が低速（小）で回転しているが、これによっても浴室内から吸引された空気が排気風路１００に送り込まれ、その空気により回転除湿ロータ１０から高濃度で放出される再生風路２００内の異臭物質が浴室内に戻ってくることを防止することができる。
【０２０３】
また、この回転除湿ロータ１０のクリーニングでは、切換ダンパ７０が全開状態にされ吸引ファン２０が低速（小）で回転されているので、浴室内から吸引された空気が排気風路１００に送り込まれ、この送り込まれた空気と再生風路２００内の高温の空気とが混合して、その温度を低下させることができる。これにより、高温の空気を回転除湿ロータ１０に吹きつけても、その高温の空気の温度が再生風路２００内で排気風路１００内の温度の低い空気と混合され、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、除去することができる。
【０２０４】
また、再生風路２００内には冷却手段８６が設けられているので、再生風路２００内の高温の空気をこの冷却手段８６により低下させることができる。これにより、高温の空気を回転除湿ロータ１０に吹きつけても、その高温の空気の温度が冷却手段８６により冷やされ、再生風路２００内の空気の温度を低下させ再生風路２００と連結する排気管（図示略）の熱損傷を防止することができる。このように、再生風路２００と連結する排気管（図示略）の熱損傷を防止できるので、回転除湿ロータ１０に高温の空気を吹き付けることができ、短時間で回転除湿ロータ１０に付着している異臭物質を放出させ、短時間で回転除湿ロータ１０に吸着された異臭物質を除去することができる。なお、本実施形態では、切換ダンパ７０を換気位置にし、排気風路１００から再生風路２００内に空気を送り込んでいるが、これに限らず、切換ダンパ７０を全閉状態にして、排気風路１００から再生風路２００に空気を送り込まず、冷却手段８６のみで、再生風路２００内の空気の温度を低下させるようにしてもよい。
【０２０５】
そして、回転除湿ロータ１０のクリーニングが終了（図９のＳ８で「Ｙ」）すると、浴室乾燥機１の運転が終了する。
【０２０６】
なお、図１１では、「換気」モードの終了時にクリーニングを実行する場合について説明したが、その他の運転モードの終了時に行われるクリーニングも集中クリーニング時間（ＴＣ）行われ、図１１で説明したクリーニングと同様のクリーニングが行われる。
【０２０７】
また、本実施形態では、図２７に示すように、第１実施形態における浴室乾燥機１（図８等参照）に冷却手段８６を設けた構成としたが、これに限らず、第２実施形態〜第５実施形態における浴室乾燥機１（図１２、図１４、図１７、図２０参照）に冷却手段８６を設けた構成としてもよい。この場合も本実施形態と同様の効果を奏する。
【０２０８】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【０２０９】
【図１】本発明の一実施形態に係る浴室乾燥機の使用形態の一例を示す。
【図２】浴室乾燥機の制御系を示すブロック図である。
【図３】操作パネル７００の一例を示す
【図４】「除湿」モードの場合のダンパの状態や空気の流れを示す動作図である。
【図５】「除湿」モードの場合のヒータの状態や空気の流れなどを説明するための説明図である。
【図６】「衣類乾燥」モード及び「涼風」モードの場合のダンパの状態や空気の流れを示す動作図である。
【図７】「暖房」モードの場合のダンパの状態や空気の流れを示す動作図である。
【図８】「換気」モードの場合のダンパの状態や空気の流れを示す動作図である。
【図９】本発明の一実施形態における浴室乾燥機のクリーニングモードが行われるタイミングを示すフローチャートである。
【図１０】本発明の第１実施形態における浴室乾燥機の運転モード選択時に行われるクリーニングモードのタイムチャートを示す図である。
【図１１】本発明の第１実施形態における浴室乾燥機の運転モード終了時に行われるクリーニングモードのタイムチャートを示す図である。
【図１２】本発明の第２実施形態の浴室乾燥機により行われるクリーニングモードの説明図である。
【図１３】暖房ヒータ３０を補助ヒータとして用いた浴室乾燥機の制御系を示すブロック図である。
【図１４】本発明の第３実施形態の浴室乾燥機により行われるクリーニングモードの説明図である。
【図１５】本発明の第３実施形態における浴室乾燥機の運転モード選択時に行われるクリーニングモードのタイムチャートを示す図である。
【図１６】本発明の第３実施形態における浴室乾燥機の運転モード終了時に行われるクリーニングモードのタイムチャートを示す図である。
【図１７】本発明の第４実施形態の浴室乾燥機により行われるクリーニングモードの説明図である。
【図１８】本発明の第４実施形態における浴室乾燥機の運転モード選択時に行われるクリーニングモードのタイムチャートを示す図である。
【図１９】本発明の第４実施形態における浴室乾燥機の運転モード終了時に行われるクリーニングモードのタイムチャートを示す図である。
【図２０】本発明の第５実施形態の浴室乾燥機により行われるクリーニングモードの説明図である。
【図２１】本発明の第５実施形態における浴室乾燥機の運転モード選択時に行われるクリーニングモードのタイムチャートを示す図である。
【図２２】本発明の第５実施形態における浴室乾燥機の運転モード終了時に行われるクリーニングモードのタイムチャートを示す図である。
【図２３】本発明の第６実施形態の浴室乾燥機により行われるクリーニングモードの説明図である。
【図２４】本発明の第６実施形態における浴室乾燥機の運転モード選択時に行われるクリーニングモードのタイムチャートを示す図である。
【図２５】本発明の第６実施形態における浴室乾燥機の運転モード終了時に行われるクリーニングモードのタイムチャートを示す図である。
【図２６】本発明の第７実施形態の浴室乾燥機により行われるクリーニングモードの説明図である。
【図２７】本発明の第８実施形態の浴室乾燥機により行われるクリーニングモードの説明図である。
【符号の説明】
【０２１０】
１  浴室乾燥機
１０  除湿ロータ
２０  吸引ファン
３０  暖房ヒータ
４０  再生ヒータ
５０  再生ファン
６０  除湿ロータ用モータ
７０  切換ダンパ
８４  バイパス風路
８１  循環再生連結風路
８２  循環再生風路ダンパ
８３  循環風路口
８５  熱交換用金属
８６  冷却手段
１００  排気風路
２００  再生風路
４０００  補助ヒータ
５０１  乾燥機本体
５０５  可動ルーバ
５０９  表面グリル
５１９  制御装置
８１１  連結風路
９００  循環風路
９００Ａ  循環風路上流部
９００Ｂ  循環風路下流部
【図１】
2008229425.tif 000003
【図２】
2008229425.tif 000004
【図３】
2008229425.tif 000005
【図４】
2008229425.tif 000006
【図５】
2008229425.tif 000007
【図６】
2008229425.tif 000008
【図７】
2008229425.tif 000009
【図８】
2008229425.tif 000010
【図９】
2008229425.tif 000011
【図１０】
2008229425.tif 000012
【図１１】
2008229425.tif 000013
【図１２】
2008229425.tif 000014
【図１３】
2008229425.tif 000015
【図１４】
2008229425.tif 000016
【図１５】
2008229425.tif 000017
【図１６】
2008229425.tif 000018
【図１７】
2008229425.tif 000019
【図１８】
2008229425.tif 000020
【図１９】
2008229425.tif 000021
【図２０】
2008229425.tif 000022
【図２１】
2008229425.tif 000023
【図２２】
2008229425.tif 000024
【図２３】
2008229425.tif 000025
【図２４】
2008229425.tif 000026
【図２５】
2008229425.tif 000027
【図２６】
2008229425.tif 000028
【図２７】
2008229425.tif 000029